(57)【特許請求の範囲】
【請求項１】
ワイヤレス通信のための方法において、
第１のサブフレーム中で制御情報を交換し、前記制御情報は、前記第１のサブフレームから第1の可変数個のサブフレームであるとして、第２のサブフレームを識別することと、
前記第１のサブフレーム中で交換した前記制御情報に基づいて、前記第２のサブフレーム中でデータを交換し、前記第２のサブフレームは、前記第１のサブフレームから前記第1の可変数個のサブフレームであることとを含み、
前記第1の可変数個のサブフレームは、制御情報を送るために異なる基地局に異なるサブフレームが割り振られていることから結果的に生じる可変遅延に対処する方法。
【請求項２】
前記第２のサブフレーム中で交換した前記データに対して、第３のサブフレーム中で肯定応答／否定応答（ＡＣＫ／ＮＡＣＫ）フィードバックを交換することをさらに含み、前記第３のサブフレームは、前記第２のサブフレームから第２の可変数個のサブフレームである請求項１記載の方法。
【請求項３】
前記第１のサブフレームは、基地局に割り振られ、少なくとも１つの干渉基地局からの減少した干渉を有し、前記第２のサブフレームは、前記基地局と前記少なくとも１つの干渉基地局とに対して利用可能である請求項１記載の方法。
【請求項４】
少なくとも１つの干渉基地局からの減少した干渉を有し、制御情報を送るために基地局に割り振られる１セットのサブフレームを決定することをさらに含み、前記第１のサブフレームは、前記１セットのサブフレーム中のものである請求項１記載の方法。
【請求項５】
制御情報を送るために基地局に割り振られる少なくとも１つのインターレースを決定することをさらに含み、前記少なくとも１つのインターレース中のサブフレームは、少なくとも１つの干渉基地局からの減少した干渉を有し、前記第１のサブフレームは、前記基地局に割り振られる前記少なくとも１つのインターレース中に属している請求項１記載の方法。
【請求項６】
前記制御情報を交換することは、前記第１のサブフレーム中でダウンリンク許可を送ることを含み、前記データを交換することは、前記第２のサブフレーム中でデータを送ることを含む請求項１記載の方法。
【請求項７】
前記制御情報を交換することは、前記第１のサブフレーム中でダウンリンク許可を受信することを含み、前記データを交換することは、前記第２のサブフレーム中でデータを受信することを含む請求項１記載の方法。
【請求項８】
前記制御情報を交換することは、前記第１のサブフレーム中でアップリンク許可を送ることを含み、前記データを交換することは、前記第２のサブフレーム中でデータを受信することを含む請求項１記載の方法。
【請求項９】
前記制御情報を交換することは、前記第１のサブフレーム中でアップリンク許可を受信することを含み、前記データを交換することは、前記第２のサブフレーム中でデータを送ることを含む請求項１記載の方法。
【請求項１０】
ダウンリンクにおける前記第２のサブフレーム中での減少した干渉を要求するメッセージを、第３のサブフレーム中で送ることをさらに含み、前記第３のサブフレームは、前記第２のサブフレームから第２の可変数個のサブフレームである請求項１記載の方法。
【請求項１１】
前記第３のサブフレームから第３の可変数個のサブフレームである第４のサブフレーム中で基準信号を送ることをさらに含む請求項１０記載の方法。
【請求項１２】
アップリンクにおける前記第２のサブフレーム中での減少した干渉を要求するメッセージを、第３のサブフレーム中で送ることをさらに含み、前記第３のサブフレームは、前記第２のサブフレームから第２の可変数個のサブフレームである請求項１記載の方法。
【請求項１３】
第４のサブフレーム中で基準信号を送るようにユーザ機器（ＵＥ）に要求するメッセージを、第３のサブフレーム中で送ることをさらに含み、前記第３のサブフレームは、前記第４のサブフレームから第４の可変数個のサブフレームである請求項１記載の方法。
【請求項１４】
前記第４のサブフレーム中で、前記ユーザ機器（ＵＥ）を含む複数のＵＥから複数の基準信号を受信することと、
前記複数の基準信号に基づいて、前記ＵＥに対する受信信号品質を決定することとをさらに含む請求項１３記載の方法。
【請求項１５】
前記制御情報を交換することは、複数の搬送波上でのデータ送信に対する許可を交換することを含み、前記データを交換することは、前記許可によって示された前記複数の搬送波上でデータを交換することを含む請求項１記載の方法。
【請求項１６】
ワイヤレス通信のための装置において、
第１のサブフレーム中で制御情報を交換し、前記制御情報は、前記第１のサブフレームから第１の可変数個のサブフレームであるとして、第２のサブフレームを識別する手段と、
前記第１のサブフレーム中で交換した前記制御情報に基づいて、前記第２のサブフレーム中でデータを交換し、前記第２のサブフレームは、前記第１のサブフレームから前記第１の可変数個のサブフレームである手段とを具備し、
前記第１の可変数個のサブフレームは、制御情報を送るために異なる基地局に異なるサブフレームが割り振られていることから結果的に生じる可変遅延に対処する装置。
【請求項１７】
前記第２のサブフレーム中で交換した前記データに対して、第３のサブフレーム中で肯定応答／否定応答（ＡＣＫ／ＮＡＣＫ）フィードバックを交換する手段をさらに具備し、前記第３のサブフレームは、前記第２のサブフレームから第２の可変数個のサブフレームである請求項１６記載の装置。
【請求項１８】
ダウンリンクにおける前記第２のサブフレーム中での減少した干渉を要求するメッセージを、第３のサブフレーム中で送る手段をさらに具備し、前記第３のサブフレームは、前記第２のサブフレームから第２の可変数個のサブフレームである請求項１６記載の装置。
【請求項１９】
前記第３のサブフレームから第３の可変数個のサブフレームである第４のサブフレーム中で基準信号を送る手段をさらに具備する請求項１８記載の装置。
【請求項２０】
アップリンクにおける前記第２のサブフレーム中での減少した干渉を要求するメッセージを、第３のサブフレーム中で送る手段をさらに具備し、前記第３のサブフレームは、前記第２のサブフレームから第２の可変数個のサブフレームである請求項１６記載の装置。
【請求項２１】
ワイヤレス通信のための装置において、
第１のサブフレーム中で制御情報を交換し、前記制御情報は、前記第１のサブフレームから第１の可変数個のサブフレームであるとして、第２のサブフレームを識別するようにと、
前記第１のサブフレーム中で交換した前記制御情報に基づいて、前記第２のサブフレーム中でデータを交換し、前記第２のサブフレームは、前記第１のサブフレームから前記第１の可変数個のサブフレームであるように構成されている少なくとも１つのプロセッサを具備し、
前記第１の可変数個のサブフレームは、制御情報を送るために異なる基地局に異なるサブフレームが割り振られていることから結果的に生じる可変遅延に対処する装置。
【請求項２２】
前記少なくとも１つのプロセッサは、前記第２のサブフレーム中で交換した前記データに対して、第３のサブフレーム中で肯定応答／否定応答（ＡＣＫ／ＮＡＣＫ）フィードバックを交換するように構成され、前記第３のサブフレームは、前記第２のサブフレームから第２の可変数個のサブフレームである請求項２１記載の装置。
【請求項２３】
前記少なくとも１つのプロセッサは、ダウンリンクにおける前記第２のサブフレーム中での減少した干渉を要求するメッセージを、第３のサブフレーム中で送るように構成され、前記第３のサブフレームは、前記第２のサブフレームから第２の可変数個のサブフレームである請求項２１記載の装置。
【請求項２４】
前記少なくとも１つのプロセッサは、前記第３のサブフレームから第３の可変数個のサブフレームである第４のサブフレーム中で基準信号を送るように構成されている請求項２３記載の装置。
【請求項２５】
前記少なくとも１つのプロセッサは、アップリンクにおける前記第２のサブフレーム中での減少した干渉を要求するメッセージを、第３のサブフレーム中で送るように構成され、前記第３のサブフレームは、前記第２のサブフレームから第２の可変数個のサブフレームである請求項２１記載の装置。
【請求項２６】
コンピュータ読み取り可能記憶媒体において、
第１のサブフレーム中で制御情報を少なくとも１つのコンピュータに交換させ、前記制御情報は、前記第１のサブフレームから可変数個のサブフレームであるとして、第２のサブフレームを識別するためのコードと、
前記第１のサブフレーム中で交換した前記制御情報に基づいて、前記第２のサブフレーム中でデータを前記少なくとも１つのコンピュータに交換させ、前記第２のサブフレームは、前記第１のサブフレームから前記可変数個のサブフレームであるためのコードとを含み、
前記可変数個のサブフレームは、制御情報を送るために異なる基地局に異なるサブフレームが割り振られていることから結果的に生じる可変遅延に対処するコンピュータ読み取り可能記憶媒体。
【請求項２７】
ワイヤレス通信のための方法において、
ユーザ機器（ＵＥ）に対する少なくとも１つの許可を交換し、前記少なくとも１つの許可は、前記許可が交換された第１のサブフレームから可変数個のサブフレームであるとして、第２のサブフレームを識別することと、
前記第１のサブフレーム中で交換された前記許可に基づいて、前記第２のサブフレーム中でデータを交換し、前記第２のサブフレームは、前記少なくとも１つの許可により示される、前記第１のサブフレームから前記可変数個のサブフレームであることとを含み、
前記可変数個のサブフレームは、制御情報を送るために異なる基地局に異なるサブフレームが割り振られていることから結果的に生じる可変遅延に対処する方法。
【請求項２８】
前記第１のサブフレームは、少なくとも１つの干渉基地局からの減少した干渉を有し、基地局に割り振られるサブフレームである請求項２７記載の方法。
【請求項２９】
前記基地局は、すべての利用可能なサブフレーム間で制御情報を送るために１セットのサブフレームが割り振られ、前記基地局は、前記１セットのサブフレーム中では、高干渉を観測しているＵＥに許可を送り、残りのサブフレーム中では、高干渉を観測している前記ＵＥに許可を送らない請求項２８記載の方法。
【請求項３０】
前記少なくとも１つの許可を交換することは、少なくとも１つのダウンリンク許可を前記ＵＥに送ることを含み、前記データを交換することは、前記可変数個のサブフレーム中でデータを前記ＵＥに送ることを含む請求項２７記載の方法。
【請求項３１】
前記少なくとも１つの許可を交換することは、前記ＵＥにおいて少なくとも１つのダウンリンク許可を受信することを含み、前記データを交換することは、前記ＵＥにおいて前記可変数個のサブフレーム中でデータを受信することを含む請求項２７記載の方法。
【請求項３２】
前記少なくとも１つの許可を交換することは、少なくとも１つのアップリンク許可を前記ＵＥに送ることを含み、前記データを交換することは、前記可変数個のサブフレーム中で前記ＵＥからのデータを受信することを含む請求項２７記載の方法。
【請求項３３】
前記少なくとも１つの許可を交換することは、前記ＵＥにおいて少なくとも１つのアップリンク許可を受信することを含み、前記データを交換することは、前記可変数個のサブフレーム中で前記ＵＥからデータを送ることを含む請求項２７記載の方法。
【請求項３４】
前記少なくとも１つの許可を交換することは、前記可変数個のサブフレームのそれぞれ中でのデータ送信に対して１つの許可であるように、複数の許可を前記ＵＥに送ることを含む請求項２７記載の方法。
【請求項３５】
単一のサブフレーム中で前記複数の許可を送る請求項３４記載の方法。
【請求項３６】
それぞれの許可は、それに対して前記許可が適用されるサブフレームの表示を含み、前記表示は、前記許可中のフィールド、または、前記許可が送られるリソース、または、前記許可に使用されるスクランブリングコードによって与えられる請求項３４記載の方法。
【請求項３７】
前記少なくとも１つの許可を交換することは、前記可変数個のサブフレームのすべて中で起こるデータ送信に対して単一の許可を送ることを含む請求項２７記載の方法。
【請求項３８】
ワイヤレス通信のための装置において、
ユーザ機器（ＵＥ）に対する少なくとも１つの許可を交換し、前記少なくとも１つの許可は、前記許可が交換された第１のサブフレームから可変数個のサブフレームであるとして、第２のサブフレームを識別する手段と、
前記第１のサブフレーム中で交換された前記許可に基づいて、前記第２のサブフレーム中でデータを交換し、前記第２のサブフレームは、前記少なくとも１つの許可により示される、前記第１のサブフレームから前記可変数個のサブフレームである手段とを具備し、
前記可変数個のサブフレームは、制御情報を送るために異なる基地局に異なるサブフレームが割り振られていることから結果的に生じる可変遅延に対処する装置。
【請求項３９】
前記少なくとも１つの許可を交換する手段は、前記ＵＥにおいて少なくとも１つのダウンリンク許可を受信する手段を備え、前記データを交換する手段は、前記ＵＥにおいて前記可変数個のサブフレーム中でデータを受信する手段を備える請求項３８記載の装置。
【請求項４０】
前記少なくとも１つの許可を交換する手段は、前記ＵＥにおいて少なくとも１つのアップリンク許可を受信する手段を備え、前記データを交換する手段は、前記可変数個のサブフレーム中で前記ＵＥからのデータを送る手段を備える請求項３８記載の装置。
【請求項４１】
前記少なくとも１つの許可を交換する手段は、前記可変数個のサブフレームのそれぞれ中でのデータ送信に対して１つの許可であるように、複数の許可を前記ＵＥに送る手段を備える請求項３８記載の装置。
【請求項４２】
前記少なくとも１つの許可を交換する手段は、前記可変数個のサブフレームのすべて中で起こるデータ送信に対して単一の許可を送る手段を備える請求項３８記載の装置。
【請求項４３】
ワイヤレス通信のための装置において、
ユーザ機器（ＵＥ）に対する少なくとも１つの許可を交換し、前記少なくとも１つの許可は、前記許可が交換された第１のサブフレームから可変数個のサブフレームであるとして、第２のサブフレームを識別するようにと、
前記第１のサブフレーム中で交換された前記許可に基づいて、前記第２のサブフレーム中でデータを交換し、前記第２のサブフレームは、前記少なくとも１つの許可により示される、前記第１のサブフレームから前記可変数個のサブフレームであるように構成されている少なくとも１つのプロセッサを具備し、
前記可変数個のサブフレームは、制御情報を送るために異なる基地局に異なるサブフレームが割り振られていることから結果的に生じる可変遅延に対処する装置。
【請求項４４】
コンピュータ読み取り可能記憶媒体において、
ユーザ機器（ＵＥ）に対する少なくとも１つの許可を少なくとも１つのコンピュータに交換させ、前記少なくとも１つの許可は、前記許可が交換された第１のサブフレームから可変数個のサブフレームであるとして、第２のサブフレームを識別するためのコードと、
前記第１のサブフレーム中で交換された前記許可に基づいて、前記第２のサブフレーム中でデータを前記少なくとも１つのコンピュータに交換させ、前記第２のサブフレームは、前記少なくとも１つの許可により示される、前記第１のサブフレームから前記可変数個のサブフレームであるためのコードとを含み、
前記可変数個のサブフレームは、制御情報を送るために異なる基地局に異なるサブフレームが割り振られていることから結果的に生じる可変遅延に対処するコンピュータ読み取り可能記憶媒体。
【発明の詳細な説明】
【優先権の主張】
【０００１】
本出願は、「サブフレーム間制御による、異種ネットワークにおける制限された関係／範囲の拡大をサポートするシステムおよび方法」と題する米国仮出願シリアル番号第６１／１８４，２１８号と、「物理ダウンリンク制御チャネル上での、リソース利用メッセージの送信」と題する出願シリアル番号第６１／１８４，２２４号とに対して優先権を主張している。これらの両方の出願は、２００９年６月４日に出願され、本発明の譲受人に譲渡され、参照によりここに組み込まれている。
【背景】
【０００２】
Ｉ．分野
本開示は、一般的に、通信に関する。さらに詳細に述べると、ワイヤレス通信ネットワーク中でのデータ送信をサポートする技術に関する。
【０００３】
ＩＩ．背景
音声、ビデオ、パケットデータ、メッセージング、ブロードキャスト等のような、さまざまな通信コンテンツを提供するために、ワイヤレス通信ネットワークが広範囲に展開されている。これらのワイヤレスネットワークは、利用可能なネットワークリソースを共有することによって複数のユーザをサポートできる多元接続ネットワークであってもよい。このような多元接続ネットワークの例は、コード分割多元接続（ＣＤＭＡ）ネットワークや、時分割多元接続（ＴＤＭＡ）ネットワークや、周波数分割多元接続（ＦＤＭＡ）ネットワークや、直交ＦＤＭＡ（ＯＦＤＭＡ）ネットワークや、単一搬送波ＦＤＭＡ（ＳＣ−ＦＤＭＡ）ネットワークを含む。
【０００４】
ワイヤレス通信ネットワークは、多数のユーザ機器（ＵＥ）に対する通信をサポートできる多数の基地局を含んでいてもよい。ＵＥは、ダウンリンクとアップリンクとを通して、基地局と通信する。ダウンリンク（すなわち、フォワードリンク）は、基地局からＵＥへの通信リンクのことを意味し、アップリンク（すなわち、リーバースリンク）は、ＵＥから基地局への通信リンクのことを意味する。
【０００５】
基地局は、ダウンリンク上で１つ以上のＵＥにデータを送信してもよく、アップリンク上で１つ以上のＵＥからデータを受信してもよい。ダウンリンク上で、基地局からのデータ送信は、隣接基地局からのデータ送信による干渉を観測することがある。アップリンク上で、それぞれのＵＥからのデータ送信は、隣接基地局と通信している他のＵＥからのデータ送信による干渉を観測することがある。ダウンリンクおよびアップリンクの両方では、干渉基地局と干渉ＵＥとによる干渉が、性能を低下させることがある。
【概要】
【０００６】
支配的干渉のシナリオにおける通信をサポートする技術をここで記述する。支配的干渉のシナリオは、ＵＥまたは基地局が高干渉を観測し、この高干渉が、データ送信の性能を著しく低下させることがあるシナリオである。
【０００７】
態様では、サブフレーム間制御により、支配的干渉のシナリオにおける通信をサポートしてもよい。制御情報を送るために、異なる基地局には、異なるサブフレームが割り振られてもよい。それぞれの基地局は、その基地局に割り振られたサブフレーム中で制御メッセージを送ってもよい。異なる基地局は、これらの割り振られた異なるサブフレームによる制御メッセージを送るための、異なるタイムラインを持っていてもよい。サブフレーム間制御では、第１のサブフレーム中で制御情報（例えば、許可、肯定応答等）を送って、第２のサブフレーム中でのデータ送信に適用してもよい。第２のサブフレームは、第１のサブフレームから可変数個のサブフレームであってもよい。
【０００８】
１つの設計では、第１のサブフレーム中で制御情報を交換（例えば、送信または受信）してもよい。第１のサブフレーム中で交換した制御情報に基づいて、第２のサブフレーム中でデータを交換してもよい。第２のサブフレームは、第１のサブフレームから可変数個のサブフレームであってもよい。第２のサブフレーム中で交換したデータに対して、第３のサブフレーム中で肯定応答を交換してもよい。第３のサブフレームはまた、第２のサブフレームから可変数個のサブフレームであってもよい。
【０００９】
別の態様では、物理ダウンリンク制御チャネル（ＰＤＣＣＨ）上で、干渉を緩和させるためのメッセージを送ってもよい。１つの設計では、基地局が、減少した干渉を要求するメッセージを、ＰＤＣＣＨ上で送ってもよい。基地局は、その後、ＰＤＣＣＨ上で送られたメッセージにより減少した干渉を有するリソース上でデータを交換（例えば、送信または受信）してもよい。１つの設計では、ＵＥは、ＰＤＣＣＨ上で少なくとも１つの基地局によって送られた、減少した干渉を要求するメッセージを監視してもよい。ＵＥは、少なくとも１つの基地局によってＰＤＣＣＨ上で送られたメッセージにより減少した干渉を有するリソース上でデータを交換してもよい。
【００１０】
本開示のさまざまな態様および特徴を、さらに詳細に以下で記述する。
【図面の簡単な説明】
【００１１】
【図１】図１は、ワイヤレス通信ネットワークを示している。
【図２】図２は、例示的なフレーム構造を示している。
【図３】図３は、ダウンリンク向けの２つの例示的なサブフレームフォーマットを示している。
【図４】図４は、アップリンク向けの例示的なサブフレームフォーマットを示している。
【図５】図５は、例示的なインターレース構造を示している。
【図６】図６は、アップリンクに対する例示的な周波数分割多重（ＦＤＭ）区分を示している。
【図７】図７は、ダウンリンク上での、干渉緩和を伴うデータ送信を示している。
【図８】図８は、アップリンク上での、干渉緩和を伴うデータ送信を示している。
【図９】図９は、ダウンリンクに対する時分割多重（ＴＤＭ）区分による、ダウンリンク上での、干渉緩和を伴うデータ送信を示している。
【図１０】図１０は、ダウンリンクに対する時分割多重（ＴＤＭ）区分による、アップリンク上での、干渉緩和を伴うデータ送信を示している。
【図１１】図１１は、サブフレーム間制御によりデータを交換するプロセスを示している。
【図１２】図１２は、サブフレーム間制御によりデータを交換する装置を示している。
【図１３】図１３は、可変数個のサブフレーム中でのデータ送信に対する少なくとも１つの許可を送るプロセスを示している。
【図１４】図１４は、可変数個のサブフレーム中でのデータ送信に対する少なくとも１つの許可を送る装置を示している。
【図１５】図１５は、ＰＤＣＣＨ上で、干渉緩和のためのメッセージを送るプロセスを示している。
【図１６】図１６は、ＰＤＣＣＨ上で、干渉緩和のためのメッセージを送る装置を示している。
【図１７】図１７は、ＰＤＣＣＨ上で送られた、干渉緩和のためのメッセージを受信するプロセスを示している。
【図１８】図１８は、ＰＤＣＣＨ上で送られた、干渉緩和のためのメッセージを受信する装置を示している。
【図１９】図１９は、基地局およびＵＥのブロックダイアグラムを示している。
【詳細な説明】
【００１２】
ＣＤＭＡや、ＴＤＭＡや、ＦＤＭＡや、ＯＦＤＭＡや、ＳＣ−ＦＤＭＡや、他のネットワークのような、さまざまなワイヤレス通信ネットワークに対して、ここで記述した技術を使用してもよい。「ネットワーク」や「システム」という用語は、互換性があるように使用されることが多い。ＣＤＭＡネットワークは、ユニバーサル地上無線アクセス（ＵＴＲＡ）、ｃｄｍａ２０００等のような無線技術を実現してもよい。ＵＴＲＡは、ワイドバンドＣＤＭＡ（ＷＣＤＭＡ）およびＣＤＭＡの他の変形を含む。ｃｄｍａ２０００は、ＩＳ−２０００、ＩＳ−９５、およびＩＳ−８５６標準規格をカバーしている。ＴＤＭＡネットワークは、グローバルシステムフォーモバイル通信（ＧＳＭ）（登録商標）のような無線技術を実現してもよい。ＯＦＤＭＡネットワークは、進化したＵＴＲＡ（Ｅ−ＵＴＲＡ）や、ウルトラモバイルブロードバンド（ＵＭＢ）や、ＩＥＥＥ８０２．１１（Ｗｉ−Ｆｉ（登録商標））や、ＩＥＥＥ８０２．１６（ＷｉＭＡＸ）や、ＩＥＥＥ８０２．２０や、フラッシュ−ＯＦＤＭ等のような無線技術を実現してもよい。ＵＴＲＡおよびＥ−ＵＴＲＡは、ユニバーサル移動体電気通信システム（ＵＭＴＳ）の一部である。３ＧＰＰロングタームエボリューション（ＬＴＥ）およびＬＴＥ−アドバンスド（ＬＴＥ−Ａ）は、Ｅ−ＵＴＲＡを使用する、新しいリリースのＵＭＴＳであり、ダウンリンク上ではＯＦＤＭＡを、アップリンク上ではＳＣ−ＦＤＭＡを用いる。ＵＴＲＡや、Ｅ−ＵＴＲＡや、ＵＭＴＳや、ＬＴＥや、ＬＴＥ−Ａや、ＧＳＭは、「第３世代パートナーシッププロジェクト」（３ＧＰＰ）と名付けられている機関による文書中に記述されている。ｃｄｍａ２０００およびＵＭＢは、「第３世代パートナーシッププロジェクト２」（３ＧＰＰ２）と名付けられている機関による文書中に記述されている。上記で説明したワイヤレスネットワークおよび無線技術とともに、他のワイヤレスネットワークおよび無線技術に対して、ここで記述した技術を使用してもよい。明確にするために、技術のいくつかの態様をＬＴＥについて以下で記述し、以下の記述の大部分ではＬＴＥの専門用語を使用する。
【００１３】
図１は、ワイヤレス通信ネットワーク１００を示しており、このワイヤレス通信ネットワーク１００は、ＬＴＥネットワークまたは他の何らかのワイヤレスネットワークであってもよい。ワイヤレスネットワーク１００は、多数の進化したノードＢ（ｅＮＢ）１１０と他のネットワークエンティティとを含んでいてもよい。ｅＮＢは、ＵＥと通信するエンティティであってもよく、また、基地局、ノードＢ、アクセスポイント等と呼ばれることがある。それぞれのｅＮＢは、特定の地理的エリアに対する通信カバレッジを提供してもよい。３ＧＰＰでは、「セル」という用語は、この用語が使用されている文脈に応じて、ｅＮＢのカバレッジエリアおよび／またはこのカバレッジエリアを担当しているｅＮＢサブシステムのカバレッジエリアのことを意味することがある。
【００１４】
ｅＮＢは、マクロセル、ピコセル、フェムトセル、および／または他のタイプのセルに対する通信カバレッジを提供してもよい。マクロセルは、比較的広い地理的エリア（例えば、半径数キロメートル）をカバーしてもよく、サービス加入しているＵＥにより制限されていないアクセスを可能にしてもよい。ピコセルは、比較的狭い地理的エリアをカバーしてもよく、サービス加入しているＵＥによって制限されていないアクセスを可能にしてもよい。フェムトセルは、比較的狭い地理的エリア（例えば、ホーム）をカバーしてもよく、フェムトセルと関係を持つＵＥ（例えば、閉じられた加入者グループ（ＣＳＧ）におけるＵＥ）により制限されているアクセスを可能にしてもよい。マクロセル向けのｅＮＢを、マクロｅＮＢと呼ぶことがある。ピコセル向けのｅＮＢを、ピコｅＮＢと呼ぶことがある。フェムトセル向けのｅＮＢを、フェムトｅＮＢまたはホームｅＮＢ（ＨｅＮＢ）と呼ぶことがある。図１中で示されている例では、ｅＮＢ１１０ａがマクロセル１０２ａ向けのマクロｅＮＢであり、ｅＮＢ１１０ｂがピコセル１０２ｂ向けのピコｅＮＢであり、ｅＮＢ１１０ｃがフェムトセル１０２ｃ向けのフェムトｅＮＢである。ｅＮＢは、１つまたは複数（例えば、３つ）のセルをサポートしてもよい。「ｅＮＢ」や、「基地局」や、「セル」という用語を、ここで互換可能に使用することがある。
【００１５】
ワイヤレスネットワーク１００は、中継局も含んでいてもよい。中継局は、アップストリーム局（例えば、ｅＮＢまたはＵＥ）からのデータの送信を受信し、データの送信をダウンストリーム局（例えば、ＵＥまたはｅＮＢ）に送ることができるエンティティであってもよい。中継局はまた、他のＵＥに対する送信を中継することができるＵＥであってもよい。図１中で示されている例では、中継局１１０ｄは、ｅＮＢ１１０ａとＵＥ１２０ｄとの間の通信を促進するために、アクセスリンクを通してＵＥ１２０ｄと、そしてバックホールリンクを通してマクロｅＮＢ１１０ａと通信してもよい。中継局は、中継ｅＮＢ、中継基地局、中継器等とも呼ばれることもある。
【００１６】
ワイヤレスネットワーク１００は、例えば、マクロｅＮＢ、ピコｅＮＢ、フェムトｅＮＢ、中継ｅＮＢ等のような、異なるタイプのｅＮＢを含んでいる異種ネットワークであってもよい。これらの異なるタイプのｅＮＢは、異なる送信電力レベル、異なるカバレッジエリア、および、ワイヤレスネットワーク１００における干渉に対する異なる影響を有しているかもしれない。例えば、マクロｅＮＢは、高い送信電力レベル（例えば、５から４０ワット）を有していてもよく、これに対して、ピコｅＮＢや、フェムトｅＮＢや、中継ｅＮＢは、より低い送信電力レベル（例えば、０．１から２ワット）を有していてもよい。
【００１７】
ネットワーク制御装置１３０は、ｅＮＢのセットに結合していてもよく、これらのｅＮＢに対する調整および制御を提供してもよい。ネットワーク制御装置１３０は、バックホールを通してｅＮＢと通信してもよい。ｅＮＢはまた、例えば、ワイヤレスまたはワイヤラインバックホールを通して、直接的にまたは間接的に、互いに通信してもよい。
【００１８】
ＵＥ１２０は、ワイヤレスネットワーク１００全体を通して分散されていてもよく、それぞれのＵＥは静的なものであっても、または、移動性のものであってもよい。ＵＥは、移動局、端末、アクセス端末、加入者ユニット、局等と呼ばれることもある。ＵＥは、セルラ電話機、パーソナルデジタルアシスタント（ＰＤＡ）、ワイヤレスモデム、ワイヤレス通信デバイス、ハンドヘルドデバイス、ラップトップコンピュータ、コードレス電話機、ワイヤレスローカルループ（ＷＬＬ）局、スマートフォン、ノートブック、スマートブック等であってもよい。ＵＥは、マクロｅＮＢ、ピコｅＮＢ、フェムトｅＮＢ、中継ｅＮＢ等と通信することができてもよい。図１では、両方向に矢印がある実線は、ＵＥと担当ｅＮＢとの間の所望の送信を示しており、この担当ｅＮＢは、ダウンリンクおよび／またはアップリンク上でＵＥを担当するように指定されているｅＮＢである。両方向に矢印がある破線は、ＵＥとｅＮＢとの間の干渉送信を示している。
【００１９】
図２は、ＬＴＥにおける周波数分割二重化（ＦＤＤ）に対する例示的なフレーム構造２００を示している。ダウンリンクおよびアップリンクのそれぞれに対する送信タイムラインは、無線フレームの単位に区分してもよい。それぞれの無線フレームは、予め定められた期間（例えば、１０ミリ秒（ｍｓ））を有していてもよく、０ないし９のインデックスを持つ１０個のサブフレームに区分してもよい。それぞれのサブフレームは、２つのスロットを含んでいてもよい。したがって、それぞれの無線フレームは、０ないし１９のインデックスを持つ２０個のスロットを含んでいてもよい。それぞれのスロットは、Ｌシンボル期間を含んでいてもよく、例えば、（図２中で示されているように）通常のサイクリックプレフィックスに対しては７シンボル期間を、または、拡張されたサイクリックプレフィックスに対しては６シンボル期間を含んでいてもよい。それぞれのサブフレームにおける２Ｌシンボル期間に、０ないし２Ｌ−１のインデックスが割り当てられてもよい。
【００２０】
ＬＴＥは、ダウンリンク上では直交周波数分割多重化（ＯＦＤＭ）を、そしてアップリンク上では単一搬送波周波数分割多重化（ＳＣ−ＦＤＭ）を利用する。ＯＦＤＭおよびＳＣ−ＦＤＭは、周波数範囲を複数（ＮFFT）の直交副搬送波に区分し、この複数（ＮFFT）の直交副搬送波は、一般的に、トーン、ビン等とも呼ばれる。それぞれの副搬送波は、データにより変調される。一般的に、変調シンボルは、周波数ドメイン中ではＯＦＤＭにより送られ、時間ドメイン中ではＳＣ−ＦＤＭにより送られる。隣接する副搬送波間の間隔は、固定されていてもよく、副搬送波の総数（ＮFFT）は、システム帯域幅に依存していてもよい。例えば、ＮFFTは、１．２５、２．５、５、１０、または２０メガヘルツ（ＭＨｚ）のシステム帯域幅に対して、それぞれ、１２８、２５６、５１２、１０２４、または２０４８に等しくてもよい。システム帯域幅はまた、多数のサブバンドに区分してもよく、それぞれのサブバンドは、周波数の範囲を、例えば、１．０８ＭＨｚをカバーしていてもよい。
【００２１】
ダウンリンクおよびアップリンクのそれぞれに対する利用可能な時間周波数リソースは、リソースブロックに区分してもよい。それぞれのリソースブロックは、１つのスロット中で１２個の副搬送波をカバーしてもよく、多数のリソースエレメントを含んでいてもよい。それぞれのリソースエレメントは、１つのシンボル期間中に１つの副搬送波をカバーしていてもよく、１つの変調シンボルを送るために使用されてもよく、１つの変調シンボルは、実数値または複素数値であってもよい。
【００２２】
図３は、ＬＴＥにおける通常のサイクリックプレフィックスを持つ、ダウンリンク向けの２つの例示的なサブフレームフォーマット３１０および３２０を示している。ダウンリンク向けのサブフレームは、データ領域が後続する制御領域を含んでいてもよく、これらは、時分割多重化されてもよい。制御領域は、サブフレームの最初のＭシンボル期間を含んでいてもよく、ここで、Ｍは、１、２、３、または４に等しくてもよい。Ｍは、サブフレーム毎に変化してもよく、サブフレームの第１のシンボル期間中で伝えられてもよい。制御領域は、制御情報を、例えば、制御メッセージを運んでもよい。データ領域は、サブフレームの残りの２Ｌ−Ｍシンボル期間を含んでいてもよく、データおよび／または他の情報を運んでもよい。
【００２３】
ＬＴＥでは、ｅＮＢは、サブフレームの制御領域中で、物理制御フォーマットインジケータチャネル（ＰＣＦＩＣＨ）と、物理ハイブリッドＡＲＱインジケータチャネル（ＰＨＩＣＨ）と、物理ダウンリンク制御チャネル（ＰＤＣＣＨ）とを送信してもよい。ＰＣＦＩＣＨは、制御領域のサイズ（例えば、Ｍの値）を伝えてもよい。ＰＨＩＣＨは、ハイブリッド自動反復要求（ＨＡＲＱ）によりアップリンク上で送られたデータ送信に対して、肯定応答（ＡＣＫ）および否定応答（ＮＡＣＫ）フィードバックを運んでもよい。ＰＤＣＣＨは、ダウンリンク許可、アップリンク許可、および／または他の制御情報を運んでもよい。ｅＮＢは、サブフレームのデータ領域中で、物理ダウンリンク共有チャネル（ＰＤＳＣＨ）も送信してもよい。ＰＤＳＣＨは、ダウンリンク上でのデータ送信のためにスケジューリングされた、ＵＥに対するデータを運んでもよい。
【００２４】
２本のアンテナを備えているｅＮＢに対しては、サブフレームフォーマット３１０を使用してもよい。シンボル期間０、４、７、および１１中にアンテナ０とアンテナ１とからセル特有基準信号（ＣＲＳ）を送信してもよい。基準信号は、送信機および受信機によってアプリオリに知られている信号であり、パイロットとも呼ばれることがある。ＣＲＳは、例えば、セル識別子（ＩＤ）に基づいて発生されるような、セルに特有な基準信号である。図３において、ラベルＲaを持つ所定のリソースエレメントでは、変調シンボルは、そのリソースエレメント上でアンテナａから送られてもよく、そのリソースエレメント上で他のアンテナから送られ得る変調シンボルは存在しない。４本のアンテナを備えているｅＮＢに対しては、サブフレームフォーマット３２０を使用してもよい。シンボル期間０、４、７、および１１中にアンテナ０と１とから、シンボル期間１および８中にアンテナ２と３とから、ＣＲＳを送信してもよい。両方のサブフレームフォーマット３１０および３２０では、ＣＲＳは、均一に間隔が空けられた副搬送波上で送信されてもよく、この副搬送波は、セルＩＤに基づいて決定されてもよい。異なるｅＮＢは、これらのセルのセルＩＤに応じて、同じ副搬送波上で、または、異なる副搬送波上で、これらのセルに対するＣＲＳを送信してもよい。両方のサブフレームフォーマット３１０および３２０では、データまたは制御情報を送信するために、ＣＲＳに対して使用されないリソースエレメントを使用してもよい。
【００２５】
図４は、ＬＴＥにおけるアップリンク向けの例示的なサブフレームフォーマット４００を示している。アップリンク向けのサブフレームは、制御領域とデータ領域とを含んでいてもよく、これらは周波数分割多重化されてもよい。システム帯域幅の２つの端において制御領域が形成されてもよく、制御領域は、構成可能なサイズを有していてもよい。データ領域は、制御領域中に含まれていないすべてのリソースブロックを含んでいてもよい。
【００２６】
制御情報をｅＮＢに送るために、ＵＥには、制御領域中でリソースブロックが割り当てられてもよい。また、データをｅＮＢに送るために、ＵＥには、データ領域中でリソースブロックが割り当てられてもよい。ＵＥは、制御領域中の割り当てられたリソースブロック４１０ａおよび４１０ｂ上の物理アップリンク制御チャネル（ＰＵＣＣＨ）上で制御情報を送ってもよい。ＵＥは、データ領域中の割り当てられたリソースブロック４２０ａおよび４２０ｂ上の物理アップリンク共有チャネル（ＰＵＳＣＨ）上で、データだけを、または、データおよび制御情報の両方を送ってもよい。図４中で示されているように、アップリンク送信は、サブフレームの両方のスロットに及んでもよく、周波数にわたってホップしてもよい。
【００２７】
ＬＴＥにおけるＰＣＦＩＣＨや、ＰＤＣＣＨや、ＰＨＩＣＨや、ＰＤＳＣＨや、ＰＵＣＣＨや、ＰＵＳＣＨや、ＣＲＳは、「進化したユニバーサル地上無線アクセス（Ｅ−ＵＴＲＡ）；物理チャネルおよび変調」と題する、３ＧＰＰ ＴＳ３６．２１１中で記述されており、これは、公的に入手可能である。
【００２８】
ＵＥは、複数のｅＮＢのカバレッジ内に位置付けられることがある。ＵＥを担当するこれらのｅＮＢのうちの１つを選択してもよい。担当ｅＮＢは、受信信号強度、受信信号品質、パス損失等のような、さまざまな基準に基づいて選択されてもよい。受信信号品質は、信号対雑音および干渉比（ＳＩＮＲ）または他の何らかのメトリックによって定量化されてもよい。
【００２９】
ＵＥは、支配的干渉のシナリオで動作することがあり、この支配的干渉のシナリオでは、ＵＥは、１つ以上の干渉ｅＮＢからの高干渉を観測することがある。支配的干渉のシナリオは、制限された関係が原因で生じることがある。例えば、図１中では、ＵＥ１２０ｃは、フェムトｅＮＢ １１０ｃに近く、ｅＮＢ １１０ｃに対する高い受信電力を有しているかもしれない。しかしながら、制限された関係が原因で、ＵＥ１２０ｃは、フェムトｅＮＢ１１０ｃにアクセスできないことがあり、より低い受信電力を有するマクロｅＮＢ１１０ａに接続するかもしれない。そして、ＵＥ１２０ｃは、ダウンリンク上で、フェムトｅＮＢ１１０ｃからの高干渉を観測することがあり、アップリンク上でも、フェムトｅＮＢ１１０ｃに対して高干渉を生じさせることがある。
【００３０】
支配的干渉のシナリオは、範囲拡大が原因でも生じることがある。これは、ＵＥにより検出された他の何らかのｅＮＢよりも、より低いパス損失を有する、および場合によっては、より低いＳＩＮＲを有するｅＮＢとＵＥが接続するシナリオである。例えば、図１中では、ＵＥ１２０ｂが、マクロｅＮＢ１１０ａよりもピコｅＮＢ１１０ｂにより近くに位置付けられることがあり、ＵＥ１２０ｂは、ピコｅＮＢ１１０ｂに対して、より低いパス損失を有していることがある。しかしながら、マクロｅＮＢ１１０ａと比較してピコｅＮＢ１１０ｂのより低い送信電力レベルが原因で、ＵＥ１２０ｂは、マクロｅＮＢ１１０ａよりもピコｅＮＢ１１０ｂに対して、より低い受信電力を有していることがある。それにもかかわらず、より低いパス損失が原因で、ＵＥ１２０ｂは、ピコｅＮＢ１１０ｂに接続することが好ましいかもしれない。範囲拡大は、結果的に、ＵＥ１２０ｂに対する所定のデータレートのアップリンク上での干渉をより少なくするかもしれない。また、複数のピコｅＮＢが、そうでなければマクロｅＮＢによって担当され得るＵＥを担当することがあるので、範囲拡大は、ダウンリンク上でセル分割利得も提供するかもしれない。それにより、範囲拡大は、ネットワーク全体の性能を改善させてもよい。
【００３１】
支配的干渉のシナリオは、中継動作が原因でも生じることがある。例えば、中継ｅＮＢは、ＵＥに対しては良好なアクセスリンクを持っているかもしれないが、中継ｅＮＢを担当しているドナーｅＮＢに対しては悪いバックホールリンクを持っているかもしれない。その後、中継ｅＮＢの悪いバックホールリンクが原因で、ＵＥが、ドナーｅＮＢと直接的に通信することがある。その後、ＵＥは、中継ｅＮＢからの高干渉をダウンリンク上で観測することがあり、中継ｅＮＢに対して高干渉をアップリンク上で生じさせることがある。ピコｅＮＢに対する範囲拡大のケースに類似した範囲拡大に対して中継ｅＮＢを使用するときにも、支配的干渉のシナリオが生じることがある。
【００３２】
態様では、ダウンリンク上で制御情報を送るために使用するダウンリンク制御リソースのＴＤＭ区分により、支配的干渉のシナリオにおける通信をサポートしてもよい。ＴＤＭ区分では、異なるｅＮＢには、異なる時間リソースが割り振られてもよい。それぞれのｅＮＢは、その割り当てられた時間リソース中で、その制御情報を送ってもよく、その割り当てられた時間リソースは、強い干渉ｅＮＢからの減少した干渉を有しているかもしれない（例えば、干渉なし）。それぞれのｅＮＢは、他のｅＮＢに割り振られた時間リソース中で、制御情報を送るのを回避してもよく（または、より低い送信電力レベルで制御情報を送ってもよく）、他のｅＮＢに対する高干渉を生じさせるのを回避してもよい。このことは、強い干渉ｅＮＢの存在下で、弱い方の担当ｅＮＢとＵＥが通信することを可能にするかもしれない。ＵＥにおけるｅＮＢの受信電力に基づいて（および、ｅＮＢの送信電力レベルに基づかずに）、「弱い」または「強い」としてｅＮＢを分類してもよい。
【００３３】
１つの設計では、ダウンリンク制御リソースのＴＤＭ区分をサブフレームレベルで実行してもよい。この設計では、異なるｅＮＢには、異なるセットのサブフレームが割り振られてもよい。それぞれのｅＮＢは、そのｅＮＢに割り振られたサブフレームの制御領域中で、その制御情報を送ってもよい。それぞれのｅＮＢは、他のｅＮＢに割り振られたサブフレームの制御領域中で、制御情報を送るのを回避してもよい（または、より低い送信電力レベルで制御情報を送ってもよい）。
【００３４】
図５は、例示的なインターレース構造５００を示しており、ＬＴＥにおけるＦＤＤのために、ダウンリンクとアップリンクとのそれぞれに対して、この例示的なインターレース構成５００を使用してもよい。図５中で示されているように、０ないしＱ−１のインデックスを持つＱ個のインターレースが規定されており、ここで、Ｑは、４、６、８、１０、または他の何らかの値に等しくてもよい。それぞれのインターレースは、Ｑ個のサブフレームだけ離れて間隔が空けられているサブフレームを含んでいてもよい。特に、インターレースｑは、サブフレームｑ、ｑ＋Ｑ、ｑ＋２Ｑ等を含んでいてもよく、ここで、ｑ∈｛０，．．．Ｑ−１｝である。
【００３５】
１つの設計では、異なるｅＮＢには、異なるインターレースが割り振られてもよい。例えば、８個のインターレースが規定されてもよく、図１におけるピコｅＮＢ１１０ｂには、２つのインターレース０と４とが割り振られてもよく、マクロｅＮＢ１１０ａには、残りの６個のインターレースが割り振られてもよい。ピコｅＮＢ１１０ｂは、インターレース０および４におけるサブフレームの制御領域中でその制御情報を送ってもよく、他の６個のインターレースにおけるサブフレームの制御領域中で制御情報を送るのを回避してもよい。反対に、マクロｅＮＢ１１０ａは、インターレース１、２、３、５、６、および７におけるサブフレームの制御領域中でその制御情報を送ってもよく、他の２つのインターレースにおけるサブフレームの制御領域中で制御情報を送るのを回避してもよい。
【００３６】
異なるｅＮＢには、他の方法で規定された異なるセットのサブフレームも割り振られてもよい。一般的に、利用可能なサブフレームは、任意の数のｅＮＢに割り振られてもよく、それぞれのｅＮＢには、任意のセットのサブフレームが割り振られてもよい。異なるｅＮＢには、同じ数のサブフレームまたは異なる数のサブフレーが割り振られてもよい。それぞれのｅＮＢは、その割り振られたサブフレームの制御領域中でその制御情報を送ってもよく、他のサブフレームの制御領域中で、制御情報を送るのを回避してもよい（または、より低い送信電力レベルで制御情報を送ってもよい）。
【００３７】
サブフレームの制御領域は、上述したように、構成可能なサイズのＭシンボル期間を有していてもよい。制御領域サイズは変わることがあるので、干渉ｅＮＢは、弱い方のｅＮＢによって使用される制御領域のサイズを知らないことがある。１つの設計では、干渉ｅＮＢは、最大の可能性ある制御領域サイズを仮定してもよく、この最大の可能性ある制御領域サイズは、ＬＴＥでは、５ＭＨｚのシステム帯域幅に対して、または、より大きいシステム帯域幅に対して３つのシンボル期間であってもよい。その後、干渉ｅＮＢは、仮定したサイズの制御領域内で、データまたは制御情報を送るのを回避してもよい。別の設計では、それぞれのｅＮＢは、構成された制御領域サイズを有していてもよく、この構成された制御領域サイズは、ｅＮＢ間のネゴシエーションを通して決定されてもよく、または、指定されたネットワークエンティティによって割り当てられてもよい。その後、干渉ｅＮＢは、別のｅＮＢに対する構成された制御領域サイズによって決定されたシンボル期間の数の間、その他のｅＮＢの制御領域をクリアしてもよい。
【００３８】
別の設計では、ダウンリンク制御リソースのＴＤＭ区分を、シンボルレベルで実行してもよい。この設計では、異なるｅＮＢには、それぞれのサブフレームの制御領域中で、異なるシンボル期間が割り振られてもよい。それぞれのｅＮＢは、それぞれのサブフレームの制御領域中でそのｅＮＢに割り振られた１つ以上のシンボル期間中に、その制御情報を送ってもよく、制御領域の残りのシンボル期間中に制御情報を送るのを回避してもよい。例えば、制御領域は、Ｍ＝３シンボル期間を含んでいてもよく、図１中のピコｅＮＢ１１０には、それぞれのサブフレームの制御領域中で、シンボル期間２が割り振られてもよく、マクロｅＮＢ１１０ａには、シンボル期間０および１が割り振られてもよい。ピコｅＮＢ１１０ｂは、それぞれのサブフレームのシンボル期間２中にその制御情報を送ってもよく、それぞれのサブフレームのシンボル期間０および１中に制御情報を送るのを回避してもよい。反対に、マクロｅＮＢ１１０ａは、それぞれのサブフレームのシンボル期間０および１中にその制御情報を送ってもよく、それぞれのサブフレームのシンボル期間２中に制御情報を送るのを回避してもよい。一般的に、それぞれのサブフレームの制御領域中のＭシンボル期間は、Ｍ個までの異なるｅＮＢに割り振られてもよい。それぞれのｅＮＢには、制御領域中で、１つ以上のシンボル期間が割り振られてもよい。
【００３９】
さらなる別の設計では、ダウンリンク制御リソースのＴＤＭ区分を、サブフレームレベルおよびシンボルレベルの両方のレベルで実行してもよい。異なるｅＮＢには、異なるサブフレームの制御領域中で、異なるシンボル期間が割り振られてもよい。例えば、８個のインターレースが規定されてもよく、制御領域は、Ｍ＝３シンボル期間を含んでいてもよい。図１中のマクロｅＮＢ１１０ａには、インターレース０、２、４、および６におけるサブフレームの制御領域中で、３つすべてのシンボルが割り振られてもよく、それぞれの残りのサブフレームの制御領域中で、シンボル期間０が割り振られてもよい。ピコｅＮＢ１１０ｂには、インターレース１、３、５、および７におけるサブフレームの制御領域中で、シンボル期間１および２が割り振られてもよい。
【００４０】
ダウンリンク制御リソースのＴＤＭ区分は、他の態様でも、例えば、時間の他の単位に基づいて実行してもよい。１つの設計では、高干渉を互いに潜在的に生じさせることがある異なるｅＮＢには、例えば、指定されたネットワークエンティティによって、異なる時間リソースが予め割り振られていてもよい。別の設計では、ｅＮＢは、十分な時間リソースをそれぞれのｅＮＢに割り振るために（例えば、バックホールを通して）ＴＤＭ区分についてネゴシエートしてもよい。一般的に、ＴＤＭ区分は、静的であり変えられることはなく、あるいは、半静的であり、まれに（例えば、１００ｍｓごとに）変えられることがあり、あるいは、動的であり、必要があるごと（例えば、サブフレームごと、または、無線フレームごと）に変えられることがある。
【００４１】
別の態様では、アップリンク上で制御情報を送るために使用されるアップリンク制御リソースのＦＤＭ区分により、支配的干渉のシナリオにおける通信をサポートしてもよい。ＦＤＭ区分では、異なるｅＮＢには、異なる周波数リソースが割り振られてもよい。それぞれのｅＮＢによって担当されているＵＥは、割り当てられた周波数リソース中で、制御情報を送ってもよく、割り当てられた周波数リソースは、他のｅＮＢと通信しているＵＥからの減少した干渉を有しているかもしれない。このことは、強い干渉ＵＥの存在の下で、それぞれのｅＮＢが、そのＵＥと通信することを可能にする。
【００４２】
図６は、支配的干渉のシナリオにおける、３つのｅＮＢに対するアップリンク制御リソースのＦＤＭ区分の設計を示している。図６中で示されている例では、第１のｅＮＢ（例えば、図１中のマクロｅＮＢ１１０ａ）に対するアップリンクに対しては、周波数帯域１が使用され、この周波数帯域１は、システム帯域幅に対応している帯域幅を有していてもよい。第２のｅＮＢ（例えば、ピコｅＮＢ１１０ｂ）に対するアップリンクに対しては周波数帯域２が使用されてもよく、この周波数帯域２は、周波数帯域１よりも小さい帯域幅を有していてもよい。第３のｅＮＢに対するアップリンクに対しては周波数帯域３が使用されてもよく、この周波数帯域３は、周波数帯域２よりも小さい帯域幅を有していてもよい。
【００４３】
第１のｅＮＢと通信しているＵＥは、帯域１の２つの端の近くに形成されている制御領域６１０中でＰＵＣＣＨを送信してもよく、帯域１の真ん中にあるデータ領域６１２中でＰＵＳＣＨを送信してもよい。第２のｅＮＢと通信しているＵＥは、帯域２の２つの端の近くに形成されている制御領域６２０中でＰＵＣＣＨを送信してもよく、帯域２の真ん中にあるデータ領域６２２中でＰＵＳＣＨを送信してもよい。第３のｅＮＢと通信しているＵＥは、帯域３の２つの端の近くに形成されている制御領域６３０中でＰＵＣＣＨを送信してもよく、帯域３の真ん中にあるデータ領域６３２中でＰＵＳＣＨを送信してもよい。３つのｅＮＢのアップリンク制御情報に対する干渉を回避するために、制御領域６１０、６２０、および６３０は、図６中で示されているようにオーバーラップしていない。異なるＰＵＣＣＨオフセットによって制御領域６１０、６２０、および６３０が規定されてもよく、それぞれのＰＵＣＣＨオフセットは、ｅＮＢに対する制御領域のアウタ周波数を示していてもよい。
【００４４】
図６は、アップリンク制御リソースのＦＤＭ区分の例示的な設計を示している。ＦＤＭ区分は、他の態様でも実行してもよい。例えば、異なるｅＮＢに対する周波数帯域が、同じ帯域幅を有していることがあるが、制御領域がオーバーラップするのを回避するために、周波数をシフトさせることがある。
【００４５】
ダウンリンク制御リソースに対して、ＴＤＭ区分を使用することが好ましいかもしれない。これは、ｅＮＢが、システム帯域幅全体にわたってＰＤＣＣＨを送信し、周波数ダイバシティを取得することを可能にするかもしれない。しかしながら、ダウンリンク制御リソースに対して、ＦＤＭ区分も使用してもよい。アップリンク制御リソースに対しては、ＦＤＭ区分を使用することが好ましいことがある。これにより、ＵＥは、それぞれのサブフレーム中でＰＵＣＣＨを送信し、待ち時間を減少させることができるかもしれない。図４中で示されているように、典型的に、それぞれのスロットにおける１つのリソースブロック中または２〜３個のリソースブロック中でＰＵＣＣＨが送信されるので、ＦＤＭ区分は、ＵＥの動作に影響を与えないかもしれない。しかしながら、アップリンク制御リソースに対して、ＴＤＭ区分も使用してもよい。明確にするために、以下の記述の大部分は、ダウンリンク制御リソースに対してはＴＤＭ区分を、そしてアップリンク制御リソースに対してはＦＤＭ区分を仮定している。
【００４６】
短期間の干渉緩和によっても、支配的干渉のシナリオにおける通信をサポートしてもよい。所望の送信に対して、より高い受信信号品質を達成できるように、干渉緩和は、干渉している送信の送信電力をブランクにするまたは減少させてもよい。干渉緩和は、短期間であってもよく、必要に応じて、例えば、サブフレームまたはパケットあたりベースで実行してもよい。
【００４７】
図７は、干渉緩和を伴う、ダウンリンクのデータ送信のためのスキーム７００の設計を示している。担当ｅＮＢは、ＵＥに送るデータを有していてもよく、ダウンリンク上でＵＥが高干渉を観測しているという知識を有していてもよい。例えば、担当ｅＮＢは、パイロット測定報告をＵＥから受信してもよく、この報告は、強い干渉ｅＮＢを示していてもよい、および／または、強い干渉ｅＮＢを識別してもよい。担当ｅＮＢは、ＰＤＣＣＨ上で、リソース利用メッセージ（ＲＵＭ）トリガをＵＥに送ってもよい。ＲＵＭトリガは、ＲＵＭ要求、干渉緩和トリガ等とも呼ばれることがある。ダウンリンク上の干渉をクリアするまたは減少させるようにｅＮＢに要求するように、ＲＵＭトリガはＵＥに要請してもよい。ＲＵＭトリガは、干渉を減少させる特定のデータリソース（例えば、特定のサブフレームにおける特定のサブバンド）、要求の優先順位、および／または他の情報を伝えてもよい。
【００４８】
担当ｅＮＢによって担当されているＵＥは、ＲＵＭトリガを受信してもよく、アップリンクＲＵＭ（ＵＬ−ＲＵＭ）を干渉ｅＮＢに送ってもよい。干渉ｅＮＢは、干渉ｅＮＢからの高干渉を観測している他のＵＥから、他のＵＬ−ＲＵＭを受信してもよい。ＵＬ−ＲＵＭを、減少干渉要求と呼ぶこともある。ＵＬ−ＲＵＭは、指定されたデータリソース上での干渉を減少させるように干渉ｅＮＢに要請してもよく、要求の優先順位、ＵＥに対するターゲット干渉レベル、および／または他の情報も伝えてもよい。干渉ｅＮＢは、その隣接ＵＥおよび／またはＵＥからＵＬ−ＲＵＭを受信してもよく、要求の優先順位、干渉ｅＮＢのバッファステータス、および／または、他の要因に基づいて、減少した干渉のためのそれぞれの要求を許可または却下してもよい。ＵＥからの要求が許可された場合、干渉ｅＮＢは、ＵＥに対する干渉を減少させるために、その送信電力を調整、および／または、その送信を操作してもよい。干渉ｅＮＢは、指定されたデータリソース上で使用するであろう送信電力レベルＰDL−DATAを決定してもよい。
【００４９】
干渉ｅＮＢは、ダウンリンクリソース品質インジケータ基準信号（ＤＬ−ＲＱＩ−ＲＳ）をＰDL-RQI-RSの電力レベルで送信してもよく、このＰDL-RQI-RSの電力レベルは、ＰDL−DATAに、または、ＰDL−DATAのスケーリングされたバージョンに等しくてもよい。ＲＱＩ基準信号は、電力決定パイロット、電力決定パイロットインジケータチャネル（ＰＤＰＩＣＨ）等とも呼ばれることがある。干渉ｅＮＢは、ＤＬ−ＲＱＩ−ＲＳリソース上で、ＤＬ−ＲＱＩ−ＲＳを送ってもよく、このＤＬ−ＲＱＩ−ＲＳリソースが、指定されたデータリソースとペアにされてもよい。例えば、Ｒセットのデータリソースが、サブフレームｔ中で利用可能であってもよく、Ｒ対応セットのＤＬ−ＲＱＩ−ＲＳリソースは、サブフレームｔ−ｘ中で利用可能であってもよい。ここで、ｘは、固定されたオフセットであってもよい。それぞれのセットのデータリソースは、１セットのリソースブロックに対応していてもよく、それぞれのセットのＤＬ−ＲＱＩ−ＲＳリソースは、リソースブロックに対応していてもよい。干渉ｅＮＢは、ＤＬ−ＲＱＩ−ＲＳリソースｒ’上で、ＤＬ−ＲＱＩ−ＲＳを送ってもよく、このＤＬ−ＲＱＩ−ＲＳリソースｒ’は、指定されたデータリソースｒに対応していてもよい。同様に、担当ｅＮＢは、その隣接ＵＥからＵＬ−ＲＵＭを受信してもよく、ＵＬ−ＲＵＭに応答してＤＬ−ＲＱＩ−ＲＳを送ってもよい。
【００５０】
１つの設計では、ｅＮＢは、ＤＬ−ＲＱＩ−ＲＳリソース上で、これらのＤＬ−ＲＱＩ−ＲＳを送ってもよく、このリソースは、すべてのｅＮＢに共通していてもよい。ＤＬ−ＲＱＩ−ＲＳリソースは、ＤＬ−ＲＱＩ−ＲＳを送るためにすべてのｅＮＢによって予約された、データ領域中のいくつかのリソースであってもよく、または、他の方法で規定されてもよい。ＤＬ−ＲＱＩ−ＲＳリソースは、正確なＳＩＮＲ推定を可能にするのに十分な数のリソースエレメントを含んでいてもよい。ＤＬ−ＲＱＩ−ＲＳは、指定されたデータリソース上で、ＵＥの担当ｅＮＢの受信信号品質をＵＥがより正確に推定することを可能にするかもしれない。
【００５１】
ＵＥは、ＤＬ−ＲＱＩ−ＲＳリソース上で、担当ｅＮＢからとともに干渉ｅＮＢからもＤＬ−ＲＱＩ−ＲＳを受信することがある。ＵＥは、受信したＤＬ−ＲＱＩ−ＲＳに基づいて、担当ｅＮＢに対するＤＬ−ＲＱＩ−ＲＳリソースのＳＩＮＲを推定してもよく、推定したＳＩＮＲに基づいてＲＱＩを決定してもよい。ＲＱＩは、指定されたデータリソース上での受信信号品質を示すことができ、チャネル品質インジケータ（ＣＱＩ）に類似しているかもしれない。強い干渉ｅＮＢが、これらのデータリソース上での干渉を減少させる場合に、ＲＱＩは、指定されたデータリソース上での、担当ｅＮＢに対する良好な受信信号品質を示すかもしれない。ＵＥは、ＰＵＣＣＨ上で、ＲＱＩを担当ｅＮＢに送ってもよい。担当ｅＮＢは、ＲＱＩをＵＥから受信してもよく、割り当てられたデータリソース上でのデータ送信のためにＵＥをスケジューリングしてもよい。この割り当てられたデータリソースは、指定されたデータリソースのすべてまたはサブセットを含んでいてもよい。担当ｅＮＢは、ＲＱＩに基づいて、変調コーディングスキーム（ＭＣＳ）を選択してもよく、選択したＭＣＳにしたがってデータを処理してもよい。担当ｅＮＢは、ダウンリンク（ＤＬ）許可を発生させてもよく、このダウンリンク（ＤＬ）許可は、割り当てられたデータリソース、選択されたＭＣＳ等を含んでいてもよい。担当ｅＮＢは、ＰＵＣＣＨ上ではダウンリンク許可を、そしてＰＵＳＣＨ上ではデータをＵＥに送ってもよい。ＵＥは、担当ｅＮＢからダウンリンク許可とデータとを受信してもよく、選択されたＭＣＳに基づいて、受信したデータ送信をデコードしてもよい。ＵＥは、データを正確にデコードした場合にはＡＣＫを、または、誤ってデータをデコードした場合にはＮＡＣＫを取得してもよく、ＰＵＣＣＨ上で、ＡＣＫまたはＮＡＣＫを担当ｅＮＢに送ってもよい。
【００５２】
図８は、干渉緩和を伴う、アップリンクのデータ送信のためのスキーム８００の設計を示している。ＵＥは、担当ｅＮＢに送るデータを有していてもよく、ＰＵＣＣＨ上でスケジューリング要求を送ってもよい。スケジューリング要求は、要求の優先順位、ＵＥによって送るデータの量等を示していてもよい。担当ｅＮＢは、スケジューリング要求を受信してもよく、アップリンクＲＱＩ基準信号（ＵＬ−ＲＱＩ−ＲＳ）を送るようにＵＥに要請するためにＲＱＩ−ＲＳ要求をＰＤＣＣＨ上で送ってもよい。担当ｅＮＢはまた、特定のデータリソース上での干渉を減少させるように干渉ＵＥに要請するためにダウンリンクＲＵＭ（ＤＬ−ＲＵＭ）をＰＤＣＣＨ上で送ってもよい。
【００５３】
ＵＥは、担当ｅＮＢからＲＱＩ−ＲＳ要求を受信してもよく、１つ以上の隣接ｅＮＢから１つ以上のＤＬ−ＲＵＭも受信してもよい。ＵＥは、すべての隣接ｅＮＢからのＤＬ−ＲＵＭに基づいて、指定されたデータリソース上で使用するであろうまたは使用できる送信電力レベルＰUL-DATAを決定してもよい。その後、ＵＥは、ＵＬ−ＲＱＩ−ＲＳリソース上でＵＬ−ＲＱＩ−ＲＳをＰUL-RQI-RSの送信電力レベルで送信してもよい。このＰUL-RQI-RSの送信電力レベルは、ＰUL-DATAに、または、スケーリングされたバージョンのＰUL-DATAに等しくてもよい。１つの設計では、ＵＥは、ＵＬ−ＲＱＩ−ＲＳリソース上で、ＵＬ−ＲＱＩ−ＲＳを送ってもよく、このリソースは、すべてのＵＥに共通していてもよい。ＵＬ−ＲＱＩ−ＲＳリソースは、ＵＥがＵＬ−ＲＱＩ−ＲＳを送るためにすべてのｅＮＢによって予約された、データ領域中のいくつかのリソースであってもよく、他の態様で規定されてもよい。
【００５４】
担当ｅＮＢは、ＵＬ−ＲＱＩ−ＲＳリソース上で、ＵＥからとともに、干渉ＵＥからもＵＬ−ＲＱＩ−ＲＳを受信してもよく、これらのリソース上で、ＵＥのＳＩＮＲを推定してもよい。指定されたデータリソースを干渉ＵＥがクリアする場合、ＳＩＮＲは良好である。担当ｅＮＢは、指定されたデータリソース上でＵＥをスケジューリングしてもよく、推定したＳＩＮＲに基づいて、ＵＥに対するＭＣＳを選択してもよい。担当ｅＮＢは、アップリンク許可を発生させてもよく、このアップリンク許可は、選択されたＭＣＳ、割り当てられたデータリソース、割り当てられたデータリソースに対して使用する送信電力レベル等を含んでいてもよい。担当ｅＮＢは、ＰＤＣＣＨ上で、アップリンク許可をＵＥに送ってもよい。ＵＥは、アップリンク許可を受信し、選択されたＭＣＳに基づいてデータを処理して、割り当てられたデータリソース上のＰＵＳＣＨ上でデータを送ってもよい。担当ｅＮＢは、ＵＥからデータを受信し、そのデータをデコードし、デコーディング結果に基づいてＡＣＫまたはＮＡＣＫを決定し、ＰＨＩＣＨ上でＡＣＫまたはＮＡＣＫをＵＥに送ってもよい。
【００５５】
図７は、干渉緩和を伴う、ダウンリンク上でのデータ送信をサポートするために使用し得るメッセージの例示的なシーケンスを示している。図８は、干渉緩和を伴う、アップリンク上でのデータ送信をサポートするために使用し得る、メッセージの例示的なシーケンスを示している。ｅＮＢ間でのデータリソースの使用を決定するために、メッセージの他のシーケンスによっても、ダウンリンクおよび／またはアップリンク上での干渉緩和をサポートしてもよい。例えば、ｅＮＢは、（ｉ）ダウンリンク干渉緩和のために異なるｅＮＢによって使用される、特定のダウンリンクのデータリソースおよび／または送信電力レベルを、ならびに／あるいは、（ｉｉ）アップリンク干渉緩和のために異なるＵＥによって使用される、特定のアップリンクのデータリソースおよび／または送信電力レベルを、決定するために、バックホールを通して通信してもよい。
【００５６】
図７および図８は、それぞれのｅＮＢ、および、それぞれのＵＥは、適切なサブフレーム中で制御情報を送ることができると仮定している。図７および図８におけるスキームでは、ｅＮＢは、支配的干渉のシナリオにおいてでさえも、ダウンリンク上で、ＲＵＭトリガや、ＤＬ−ＲＵＭや、ＲＱＩ−ＲＳ要求や、ダウンリンク許可や、アップリンク許可や、ＡＣＫ／ＮＡＣＫフィードバックのような、ダウンリンク制御メッセージを確実に送ることができなければならない。さらには、ＵＥは、支配的干渉のシナリオにおいてでさえも、アップリンク上で、ＵＬ−ＲＵＭや、スケジューリング要求や、ＲＱＩや、ＡＣＫ／ＮＡＣＫフィードバックのような、アップリンク制御メッセージを確実に送ることができなければならない。ダウンリンク制御メッセージの信頼性のある送信は、上述したように、ダウンリンク制御リソースのＴＤＭ区分により達成してもよい。アップリンク制御メッセージの信頼性のある送信は、先にも上述したように、アップリンク制御リソースのＦＤＭ区分により達成してもよい。
【００５７】
図７および図８は、ＬＴＥにおいて、ダウンリンクおよびアップリンク上で制御メッセージを送るために使用し得る、例示的な物理チャネルも示している。１つの設計では、ｅＮＢは、ＰＤＣＣＨ上では、ＲＵＭトリガや、ＤＬ−ＲＵＭや、ＲＱＩ−ＲＳ要求や、ダウンリンク許可や、アップリンク許可のような、ダウンリンク制御メッセージを送ってもよく、ＰＨＩＣＨ上ではＡＣＫ／ＮＡＣＫフィードバックを送ってもよい。ｅＮＢは、同じ制御メッセージ中で、複数のダウンリンク制御メッセージ（例えば、ＤＬ−ＲＵＭおよびＲＱＩ−ＲＳ要求）も送ってもよい。ｅＮＢに割り振られたサブフレームの制御領域中で、ｅＮＢは、これらのダウンリンク制御メッセージを確実に送ることができ、ｅＮＢに割り振られたサブフレームの制御領域は、干渉ｅＮＢからの減少された干渉を有する（例えば、ない）はずである。
【００５８】
１つの設計では、ＵＥは、（図７および図８中で示されているような）ＰＵＣＣＨ上ではＵＬ−ＲＵＭや、スケジューリング要求や、ＲＱＩ、ＡＣＫ／ＮＡＣＫフィードバックのような、アップリンク制御メッセージを送ってもよく、または、（図７および図８中で示されていない）ＰＵＳＣＨ上で、データを送ってもよい。その担当ｅＮＢに割り振られた制御領域中で、ＵＥは、これらのアップリンク制御メッセージを確実に送ることができ、その担当ｅＮＢに割り振られた制御領域は、隣接ｅＮＢと通信している干渉ＵＥからの高干渉がクリアされているはずである。
【００５９】
さらにもう１つの態様では、ダウンリンク制御リソースのＴＤＭ区分により、ダウンリンク上および／またはアップリンク上でのデータ送信をサポートするために、サブフレーム間制御を使用してもよい。ＴＤＭ区分により制御情報を送るために、異なるｅＮＢには、異なるサブフレームが割り振られてもよい。そのｅＮＢに割り振られたサブフレーム中でのデータ送信をサポートするために、それぞれのｅＮＢは制御メッセージを送ってもよい。異なるｅＮＢは、これらの割り振られた異なるサブフレームのために、制御メッセージを送るための異なるタイムラインを持っていてもよい。サブフレーム間制御では、制御情報（例えば、許可、ＡＣＫ／ＮＡＣＫ等）を第１のサブフレーム中で送ってもよく、第２のサブフレーム中でのデータ送信に適用できてもよい。第２のサブフレームは、第１のサブフレームから可変数個のサブフレームであってもよい。
【００６０】
図９は、ダウンリンク制御リソースに対してＴＤＭ区分を使用するときの、干渉緩和を伴う、ダウンリンクのデータ送信のためのスキーム９００の設計を示している。図９中で示されている例では、８個のインターレースが規定されており、ｅＮＢ１にはインターレース０と４とが割り振られており、ｅＮＢ２にはインターレース１と５とが割り振られており、ｅＮＢ３にはインターレース２と６とが割り振られており、そしてｅＮＢ４にはインターレース３と７とが割り振られている。それぞれのｅＮＢは、その割り振られたインターレースにおけるサブフレームの制御領域中で制御情報を送ってもよい。それぞれのｅＮＢは、何らかのサブフレームのデータ領域中でデータを送ってもよく、ダウンリンクのデータリソースについて他のｅＮＢと争うかもしれない。ｅＮＢ１、２、３、および４は、それぞれ、ＵＥ１、２、３、および４を担当している。図９は、到来メッセージの受信と、対応する送出メッセージの送信との間の１−サブフレーム遅延を仮定している。
【００６１】
ダウンリンク上でのデータ送信では、ｅＮＢ１、２、３、および４は、これらの割り振られたインターレースにおける、それぞれ、サブフレーム０、１、２、および３の制御領域中で、ＲＵＭトリガを送ってもよい。ＵＥ１、２、３、および４は、隣接ｅＮＢからＲＵＭトリガを受信してもよく、それぞれ、サブフレーム２、３、４および５中でＵＬ−ＲＵＭをこれらの担当ｅＮＢに送ってもよい。ＵＥはまた、同じサブフレーム中で、例えば、サブフレーム５中でＵＬ−ＲＵＭを送ってもよい。ｅＮＢ１、２、３、および４は、被担当ＵＥからＵＬ−ＲＵＭを受信してもよく、サブフレーム７中の同じダウンリンクリソース上で、ＤＬ−ＲＱＩ−ＲＳを送ってもよい。ＵＥ１、２、３、および４は、ｅＮＢからＤＬ−ＲＱＩ−ＲＳを受信し、ＳＩＮＲを推定し、サブフレーム９中でＲＱＩをこれらの担当ｅＮＢに送ってもよい。
【００６２】
ｅＮＢ１、２、３、および４は、それぞれ、ＵＥ１、２、３、および４からＲＱＩを受信してもよく、ダウンリンク上でのデータ送信のために、ＵＥをスケジューリングしてもよい。１−サブフレームの処理遅延が原因で、ｅＮＢ１、２、３、および４は、これらの割り振られたインターレースの、それぞれ、サブフレーム１２、１３、１４、および１１中で、ダウンリンク許可をＵＥ１、２、３、および４に送ってもよい。ｅＮＢ１、２、３、および４は、それぞれ、サブフレーム１４ないし１７中でデータをＵＥ１、２、３、および４に送ってもよく、このサブフレーム１４ないし１７は、ｅＮＢによって共有されてもよい。ＵＥ１、２、３、および４は、サブフレーム１４ないし１７中で、これらの担当ｅＮＢからのデータを受信してもよく、サブフレーム１６ないし１９中でＡＣＫ／ＮＡＣＫフィードバックをそれぞれ送ってもよい。
【００６３】
図９中で示されているように、制御情報に対する高干渉を回避するために、ｅＮＢは、ｅＮＢの割り振られたインターレースのサブフレーム中で、ｅＮＢの制御情報を送ってもよい。データに対する高干渉を回避するために、１つ以上のｅＮＢが、同じサブフレーム中でデータを送ってもよく、それらの送信電力を調整、および／または、それらの送信を操作してもよい。サブフレーム間制御では、ダウンリンク許可は、（図７中で示されているように、対応するデータ送信と同じサブフレーム中で送信される代わりに）対応するデータ送信からの可変遅延を有することがある。この可変遅延は、制御情報を送るために、異なるｅＮＢが異なるサブフレームに割り振られていることから結果的に生じるかもしれない。さらには、所定のダウンリンク許可が、ダウンリンク上での、１つのサブフレームまたは複数のサブフレーム中でのデータ送信に適用可能であってもよい。図９中で示されている例では、それぞれのｅＮＢは、４サブフレームごとに制御情報を送ってもよく、ダウンリンク許可は、４個までのサブフレーム中でのデータ送信に適用可能であってもよい。一般的に、ｅＮＢが、Ｓサブフレームフレームごとに制御情報を送ることができる場合、ダウンリンク許可は、Ｓ個までのサブフレーム中でのデータ送信に適用可能であってもよい。
【００６４】
ｅＮＢは、これらの割り振られたサブフレーム中でＲＵＭトリガを送ってもよい。その後、ｅＮＢは、同じダウンリンクリソース上で、ＤＬ−ＲＱＩ−ＲＳを送ってもよく、これにより、ダウンリンク上での後続するデータ送信について予期できるＳＩＮＲをＵＥが推定することが可能になる。ｅＮＢからのＲＵＭトリガとｅＮＢからのＤＬ−ＲＱＩ−ＲＳとの間には可変遅延が存在することがあり、この可変遅延は、サブフレーム間制御によりサポートしてもよい。
【００６５】
図１０は、ダウンリンク制御リソースに対してＴＤＭ区分を使用するときの、干渉緩和を伴う、アップリンクのデータ送信のためのスキーム１０００の設計を示している。図１０における例は、４つのｅＮＢ１、２、３、および４が、それぞれ、４つのＵＥ１、２、３、および４を担当していること仮定している。図９について上述したように、それぞれのｅＮＢには、８個のインターレースのうちの２つが割り振られてもよい。
【００６６】
アップリンク上でのデータ送信では、ＵＥ１、２、３、および４は、（図１０中では示されていない）スケジューリング要求を、それぞれ、担当ｅＮＢ１、２、３、および４に送ってもよい。ｅＮＢ１、２、３、および４は、それらの割り振られたインターレースのサブフレーム０、１、２、および３中で、それぞれ、ＤＬ−ＲＵＭを干渉ＵＥに送るとともに、ＲＱＩ−ＲＳ要求を被担当ＵＥに送ってもよい。ＵＥ１、２、３、および４は、隣接ｅＮＢからＤＬ−ＲＵＭを受信してもよく、それらの担当ｅＮＢからＲＱＩ−ＲＳ要求を受信してもよい。ＵＥ１、２、３、および４は、サブフレーム５中の同じアップリンクリソース上で、ＵＬ−ＲＱＩ−ＲＳを送ってもよい。ｅＮＢ１、２、３、および４は、ＵＥからＵＬ−ＲＱＩ−ＲＳを受信し、ＳＩＮＲを推定し、それぞれ、ＵＥ１、２、３、および４に対するＭＣＳを選択してもよい。ｅＮＢ１、２、３、および４は、アップリンク上でのデータ送信のためにＵＥをスケジューリングしてもよく、それらの割り振られたインターレースの、それぞれ、サブフレーム８、９、１０、および７中で、アップリンク許可をＵＥ１、２、３、および４に送ってもよい。
【００６７】
ＵＥ１、２、３、および４は、それぞれ、サブフレーム１２ないし１５中で、データをｅＮＢ１、２、３、および４に送ってもよい。ｅＮＢ１、２、３、および４は、サブフレーム１２ないし１５中で、それらの被担当ＵＥからデータを受信してもよい。１−サブフレーム処理遅延が原因で、ｅＮＢ１は、サブフレーム１２、１３、および１４中でＵＥ１から受信したデータに対して、サブフレーム１６中でＡＣＫ／ＮＡＣＫを送ってもよく、サブフレーム１５中で受信したデータに対して、サブフレーム２０中でＡＣＫ／ＮＡＣＫを送ってもよい。ｅＮＢ２は、サブフレーム１２ないし１５中でＵＥ２から受信したデータに対して、サブフレーム１７中でＡＣＫ／ＮＡＣＫを送ってもよい。ｅＮＢ３は、サブフレーム１２中でＵＥ３から受信したデータに対して、サブフレーム１４中でＡＣＫ／ＮＡＣＫを送ってもよく、サブフレーム１３、１４および１５中で受信したデータに対して、サブフレーム１８中でＡＣＫ／ＮＡＣＫを送ってもよい。ｅＮＢ４は、サブフレーム１２および１３中でＵＥ４から受信したデータに対して、サブフレーム１５中でＡＣＫ／ＮＡＣＫを送ってもよく、サブフレーム１４および１５中で受信したデータに対して、サブフレーム１９中でＡＣＫ／ＮＡＣＫを送ってもよい。
【００６８】
図１０中で示されているように、ｅＮＢは、それらの割り振られたインターレースのサブフレーム中で制御情報を送ってもよい。データに対する高干渉を回避するために、１つ以上のＵＥが、同じサブフレーム中でデータを送ってもよく、それらの送信電力を調整および／またはそれらの送信を操作してもよい。サブフレーム間制御では、アップリンク許可は、対応するデータ送信からの可変遅延を有していることがある。この可変遅延は、制御情報を送るために、異なるｅＮＢに異なるサブフレームが割り振られていることから結果的に生じ得る。さらには、所定のアップリンク許可は、アップリンク上での、１つのサブフレームまたは複数のサブフレーム中でのデータ送信に適用可能であってもよい。
【００６９】
ＵＥは、同じサブフレーム中のアップリンク上でデータ送信を送ってもよい。ｅＮＢは、それらの割り振られたインターレースの異なるサブフレーム中で、ＡＣＫ／ＮＡＣＫフィードバックを送ってもよい。サブフレーム間制御では、ＡＣＫ／ＮＡＣＫフィードバックは、対応するデータ送信からの可変遅延を有していることがある。さらには、可変数個のサブフレーム中でのデータ送信に対して、所定のサブフレーム中でＡＣＫ／ＮＡＣＫフィードバックを送ってもよい。
【００７０】
ｅＮＢは、それらの割り振られたインターレースの異なるサブフレーム中で、ＤＬ−ＲＵＭとＲＱＩ−ＲＳ要求とを送ってもよい。ＵＥは、同じアップリンクリソース上でＵＬ−ＲＱＩ−ＲＳを送ってもよく、これにより、ｅＮＢは、アップリンク上での後続するデータ送信について予期することができるＳＩＮＲを推定することが可能になる。ｅＮＢからのＤＬ−ＲＵＭおよびＲＱＩ−ＲＳ要求と、ＵＥからのＵＬ−ＲＱＩ−ＲＳとの間で、可変遅延が存在することがある。サブフレーム間制御により、この可変遅延をサポートしてもよい。
【００７１】
図９および図１０は、４つのｅＮＢが互いに高干渉を生じさせることがあり、そして、制御情報を送るために、それぞれのｅＮＢに、２つのインターレースが割り振られることがあるケースに対する例示的なタイムラインを示している。制御情報を送るために、ｅＮＢに、より少ないインターレースまたはより多いインターレースが割り振られてもよい。ｅＮＢは、さまざまな制御メッセージを送るための、異なるタイムラインを持っていてもよい。干渉緩和を伴う、ダウンリンクのデータ送信では、図９中で示されているように、ダウンリンク許可と、ダウンリンク上での対応するデータ送信との間に可変遅延が存在することがある。ｅＮＢは、データ送信より前に、または、データ送信とともにのいずれかに、ｅＮＢに割り振られた何らかのサブフレーム中でダウンリンク許可を送ってもよい。干渉緩和を伴う、アップリンクのデータ送信では、図１０中で示されているように、アップリンク許可と、アップリンク上での対応するデータ送信との間に可変遅延が存在することがある。ｅＮＢは、データ送信より前に、ｅＮＢに割り振られた何らかのサブフレーム中でアップリンク許可を送ってもよい。ｅＮＢはまた、データ送信の後に、ｅＮＢに割り振られた何らかのサブフレーム中でＡＣＫ／ＮＡＣＫフィードバックを送ってもよい。ダウンリンク制御メッセージとＡＣＫ／ＮＡＣＫフィードバックとを送るためにｅＮＢによって使用される特定のサブフレームは、ｅＮＢに割り振られるインターレースに依存していていてもよい。
【００７２】
（例えば、図７および図８中で示されているような）サブフレーム間制御がないデータ送信では、さまざまな送信の間には、固定遅延が存在することがある。（例えば、図９および１０中で示されているような）サブフレーム間制御があるデータ送信では、さまざまな送信の間には可変遅延が存在することがある。表１は、異なるデータ送信シナリオに対して、許可、データ、およびＡＣＫ／ＮＡＣＫが送られるサブフレームをリストアップしている。サブフレーム間制御のあるシナリオでは、オフセットＸおよびＹは可変であってもよく、ｅＮＢに割り振られたサブフレームに依存していてもよい。
【表１】
0005551241.tif 000002
【００７３】
図９および図１０中で示されている例では、４つのサブフレーム中でのデータ送信のために、それぞれのＵＥをスケジューリングしている。一般的に、１つ以上のサブフレーム中でのデータ送信のために、ＵＥをスケジューリングしてもよい。１つの設計では、すべてのスケジューリングされたサブフレーム中でのデータ送信のために、単一のダウンリンク許可またはアップリンク許可を送ってもよい。別の設計では、それぞれのスケジューリングされたサブフレーム中でのデータ送信のために、１つのダウンリンク許可またはアップリンク許可を送ってもよい。また、他の方法で、ダウンリンク許可およびアップリンク許可を送ってもよい。
【００７４】
上述したように、ＴＤＭ区分により制御情報を送るために、異なるｅＮＢには、異なるサブフレームが割り振られてもよい。ｅＮＢは、他のｅＮＢに割り振られたサブフレームの制御領域中で制御情報を送るのを回避してもよい。しかしながら、ｅＮＢは、他のｅＮＢに割り振られたサブフレームの制御領域中および／またはデータ領域中で、いくつかの指定されたチャネルおよび／または信号を送り続けることがある。例えば、ｅＮＢは、すべてのサブフレーム中で（すなわち、ｅＮＢに割り振られたサブフレーム中とともに、他のｅＮＢに割り振られたサブフレーム中で）ＣＲＳを送信することがある。指定されたチャネルおよび／または信号を使用して、レガシーＵＥの動作をサポートしてもよい。このレガシーＵＥは、これらのチャネルおよび／または信号が存在すると予期することがあり、これらのチャネルおよび／または信号が欠如した状態では適切に機能しないかもしれない。
【００７５】
さらにもう１つの態様では、制御情報および／またはデータに対する性能を改善させるために、ＵＥは、１つ以上の指定されたチャネルおよび／または信号に対する干渉消去を実行してもよい。干渉消去では、ＵＥは、指定されたチャネルまたは信号による干渉を推定し、推定した干渉を消去して、推定した干渉を消去した後に所望のチャネルまたは信号を復元してもよい。
【００７６】
１つの設計では、ＵＥが、ＣＲＳに対する干渉消去を実行してもよい。このＣＲＳは、例えば、図３中で示されているように、それぞれのサブフレームの制御領域中およびデータ領域中で、それぞれのｅＮＢによって送信されてもよい。ｅＮＢからのＣＲＳは、以下の方法のうちの１つ以上のもの：
・ＣＲＳ対ＣＲＳ衝突−複数のｅＮＢが、同じリソースエレメント上で、それらのＣＲＳを送る
・ＣＲＳ対制御衝突−別のｅＮＢによって制御情報のために使用されるリソースエレメント上で、ｅＮＢがそのＣＲＳを送る
・ＣＲＳ対データ衝突−別のｅＮＢによってデータのために使用されるリソースエレメント上で、ｅＮＢがそのＣＲＳを送る
において干渉を生じさせることがある。
【００７７】
ＣＲＳ対ＣＲＳ衝突、または、ＣＲＳ対制御衝突、または、ＣＲＳ対データ衝突、または、これらのものを組み合わせたものに対する干渉消去を、ＵＥが実行してもよい。ＵＥは、担当ｅＮＢのセルＩＤと干渉ｅＮＢのセルＩＤとに基づいて、その担当ｅＮＢのＣＲＳと干渉ｅＮＢのＣＲＳとの間でＣＲＳ対ＣＲＳ衝突が生じたか否かを決定してもよい。ＣＲＳ対ＣＲＳ衝突が生じた場合、干渉ｅＮＢからのＣＲＳによる干渉を推定し、推定した干渉を、ＵＥにおいて受信した信号から消去し、干渉が消去された信号を取得することによって、ＵＥは、ＣＲＳ対ＣＲＳ衝突に対する干渉消去を実行してもよい。その後、ＵＥは、干渉が消去された信号中で、担当ｅＮＢからのＣＲＳに基づくチャネル推定を実行してもよい。ＵＥは、干渉ｅＮＢからのＣＲＳによる干渉を消去することによって、担当ｅＮＢに対するより正確なチャネル推定値を取得することができるかもしれない。
【００７８】
ＵＥは、干渉ｅＮＢからのＣＲＳによる干渉を推定し、推定した干渉を消去し、（受信信号の代わりに）干渉が消去された信号を処理し、担当ｅＮＢによって送られた制御情報を復元することによって、ＣＲＳ対制御衝突に対する干渉消去を実行してもよい。ＵＥは、また、干渉ｅＮＢのＣＲＳからの干渉を考慮に入れることによって制御情報をデコードしてもよい。例えば、ＵＥは、（ｉ）ＣＲＳを送る干渉ｅＮＢによって使用されるリソースエレメントから検出されたシンボルに対して、より少ない重みを与え、（ｉｉ）他のリソースエレメントから検出されたシンボルに対して、より多い重みを与えることによって、デコードを実行してもよい。ＵＥは、ＣＲＳ対制御衝突に対する消去と類似した態様で、ＣＲＳ対データ衝突に対する干渉消去を実行してもよい。
【００７９】
別の設計では、異なるリソースエレメント上でｅＮＢのＣＲＳが送られ、ゆえに衝突しないように、互いに干渉し得るｅＮＢにセルＩＤが割り当てられてもよい。これにより、ＵＥに対するチャネル推定性能を改善してもよい。ＵＥは、ＣＲＳ対制御衝突および／またはＣＲＳ対データ衝突に対する干渉消去を実行してもよい。
【００８０】
ワイヤレスネットワークは、ダウンリンクに対する１つの搬送波または複数の搬送波上での、および、アップリンクに対する１つ搬送波または複数の搬送波上での動作をサポートしてもよい。搬送波は、通信に使用される周波数の範囲のことを意味することがあり、ある特徴に関係付けられることがある。例えば、搬送波は、搬送波上での動作を記述しているシステム情報等に関係付けられてもよい。搬送波はまた、チャネル、周波数チャネル等と呼ばれることがある。ダウンリンクに対する搬送波はダウンリンク搬送波とも呼ばれることがあり、アップリンクに対する搬送波はアップリンク搬送波とも呼ばれることがある。
【００８１】
多重搬送波動作に対して、ここで記述した技術を使用してもよい。１つの設計では、それぞれのダウンリンク搬送波と、それぞれのアップリンク搬送波とに対して、ここで記述した技術を実行してもよい。例えば、ダウンリンク上で制御情報を送るために、ｅＮＢには、それぞれの搬送波上で、１セットのサブフレームが割り振られてもよい。ｅＮＢが、可能な限り多くのサブフレーム中で制御情報を送ることができるように、ｅＮＢには、異なるダウンリンク搬送波に対する、時間がずらされたセットのサブフレームが割り振られてもよい。アップリンク上で制御情報を受信するために、ｅＮＢには、また、それぞれのアップリンク搬送波上の周波数範囲が割り振られてもよい。ｅＮＢは、そのダウンリンク搬送波に対して割り振られたサブフレーム中で、それぞれのダウンリンク搬送波に対するＲＵＭトリガ、ＤＬ−ＲＵＭ、ＲＱＩ−ＲＳ要求、許可、および／または他のダウンリンク制御メッセージを送ってもよい。ｅＮＢは、そのアップリンク搬送波の割り振られた周波数範囲中で、それぞれのアップリンク搬送波に対するスケジューリング要求、ＵＬ−ＲＵＭ、および／または他のアップリンク制御メッセージを受信してもよい。ＵＥが制御情報を受信することができるそれぞれのダウンリンク搬送波を、ＵＥは、監視してもよく、ＲＵＭトリガ、ＤＬ−ＲＵＭ、ＲＱＩ−ＲＳ要求、許可、および／または他のダウンリンク制御メッセージを検出してもよい。ＵＥは、そのアップリンク搬送波に対する割り振られた周波数範囲におけるそれぞれのアップリンク搬送波上で、スケジューリング要求、ＵＬ−ＲＵＭ、および／または他のアップリンク制御メッセージを送ってもよい。
【００８２】
別の設計では、すべてのダウンリンク搬送波に対する制御情報を送るために、ｅＮＢには、指定されたダウンリンク搬送波上で、１セットのサブフレームが割り振られてもよい。すべてのアップリンク搬送波に対する制御情報を受信するために、ｅＮＢには、また、指定されたアップリンク搬送波上の周波数範囲が割り振られてもよい。ｅＮＢは、指定されたダウンリンク搬送波上の割り振られたサブフレーム中で、すべてのダウンリンク搬送波に対するＲＵＭトリガ、ＤＬ−ＲＵＭ、ＲＱＩ−ＲＳ要求、許可、および／または他のダウンリンク制御メッセージを送ってもよい。ｅＮＢは、指定されたアップリンク搬送波の割り振られた周波数範囲中で、すべてのアップリンク搬送波に対するスケジューリング要求、ＵＬ−ＲＵＭ、および／または他のアップリンク制御メッセージを受信してもよい。ＵＥは、指定されたダウンリンク搬送波を監視してもよく、すべてのダウンリンク搬送波に対するＲＵＭトリガ、ＤＬ−ＲＵＭ、ＲＱＩ−ＲＳ要求、許可、および／または他のダウンリンク制御メッセージを検出してもよい。ＵＥは、指定されたアップリンク搬送波の割り振られた周波数範囲中で、すべてのアップリンク搬送波に対するスケジューリング要求、ＵＬ−ＲＵＭ、および／または他のアップリンク制御メッセージを送ってもよい。
【００８３】
ここで記述した技術は、支配的干渉のシナリオにおける通信をサポートすることができる。支配的干渉のシナリオにおいて、ＵＥは、干渉ｅＮＢが送信しないリソース上で、担当ｅＮＢからの送信を確実に受信することができる。干渉ｅＮＢは、担当ｅＮＢによって、制御情報を送るために使用するリソースとともに、データを送るために使用するリソースをクリア（または、これらのリソース上で、より低い電力レベルで送信）してもよい。制御情報に対するリソースは、上述したように、ダウンリンクに対してはＴＤＭ区分により、そしてアップリンクに対してはＦＤＭ区分により静的または半静的にクリアされてもよい。データに対するリソースは、短期間の干渉緩和により動的にクリアされてもよい。この短期間の干渉緩和は、ダウンリンクおよびアップリンク上で制御情報を確実に送ることができることを仮定している。
【００８４】
図１１は、ワイヤレスネットワーク中でデータを交換するプロセス１１００の設計を示している。プロセス１１００は、ＵＥ、基地局／ｅＮＢ、または他の何らかのエンティティによって実行してもよい。第１のサブフレーム中で制御情報を交換（例えば、送信、または、受信）してもよい（ブロック１１１２）。第１のサブフレーム中で交換した制御情報に基づいて、第２のサブフレーム中でデータを交換してもよい（ブロック１１１４）。第２のサブフレームは、第１のサブフレームから可変数個のサブフレームであってもよい。第２のサブフレーム中で交換したデータに対して、第３のサブフレーム中でＡＣＫ／ＮＡＣＫフィードバックを交換してもよい（ブロック１１１６）。第３のサブフレームはまた、第２のサブフレームから可変数個のサブフレームであってもよい。
【００８５】
１つの設計では、第１のサブフレームは、基地局に割り振られてもよく、少なくとも１つの干渉基地局からの減少した干渉を有していてもよい。第２のサブフレームは、基地局と、少なくとも１つの干渉基地局とに対して利用可能であってもよい。１つの設計では、制御情報を送るために、１セットのサブフレームが基地局に割り振られてもよい。基地局は、１セットのサブフレーム中で制御情報を送ってもよく、残りのサブフレーム中で制御情報を送るのを回避してもよい。第１のサブフレームは、１セットのサブフレーム中に属していてもよい。別の設計では、制御情報を送るために、少なくとも１つのインターレースが基地局に割り振られてもよい。少なくとも１つのインターレースにおけるサブフレームは、少なくとも１つの干渉基地局からの減少した干渉を有していてもよい。第１のサブフレームは、基地局に割り振られた少なくとも１つのインターレース中に属していてもよい。
【００８６】
１つの設計では、基地局（例えば、図９におけるｅＮＢ１）が、ダウンリンク上で、データを送信するプロセス１１００を実行してもよい。ブロック１１１２において、基地局が、第１のサブフレーム（例えば、サブフレーム１２）中でダウンリンク許可を送ってもよく、ブロック１１１４において、第２のサブフレーム（例えば、サブフレーム１４）中でデータを送ってもよい。ブロック１１１６において、基地局が、第２のサブフレーム中で送られたデータに対して、第３のサブフレーム（例えば、サブフレーム１６）中でＡＣＫ／ＮＡＣＫフィードバックを受信してもよい。基地局は、ダウンリンクにおける前記第２のサブフレーム中での減少した干渉を要求するメッセージ（例えば、ＲＵＭトリガ）を、第４のサブフレーム（例えば、サブフレーム０）中で送ってもよい。第４のサブフレームは、第２のサブフレームから可変数個のサブフレームであってもよい。基地局は、第５のサブフレーム（例えば、サブフレーム７）中で基準信号（例えば、ＤＬ−ＲＱＩ−ＲＳ）を送ってもよく、第５のサブフレームは、第４のサブフレームから可変数個のサブフレームであってもよい。
【００８７】
別の設計では、ＵＥ（例えば、図９におけるＵＥ１）が、ダウンリンク上で、データを受信するプロセス１１００を実行してもよい。ブロック１１１２において、ＵＥは、第１のサブフレーム（例えば、サブフレーム１２）中でダウンリンク許可を受信してもよく、ブロック１１１４において、第２のサブフレーム（例えば、サブフレーム１４）中でデータを受信してもよい。ブロック１１１６において、ＵＥは、第２のサブフレーム中で受信されたデータに対して、第３のサブフレーム（サブフレーム１６）中でＡＣＫ／ＮＡＣＫフィードバックを送ってもよい。
【００８８】
さらなる別の設計では、基地局（例えば、図１０におけるｅＮＢ１）が、アップリンク上でデータを受信するプロセス１１００を実行してもよい。ブロック１１１２において、基地局が、第１のサブフレーム（例えば、サブフレーム８）中でアップリンク許可を送ってもよく、ブロック１１１４において、第２のサブフレーム（例えば、サブフレーム１２）中でデータを受信してもよい。基地局は、第２のサブフレーム中で受信したデータに対して、第３のサブフレーム（例えば、サブフレーム１６）中でＡＣＫ／ＮＡＣＫフィードバックを送ってもよい。第３のサブフレームは、第２のサブフレームから可変数個のサブフレームであってもよい。基地局は、アップリンクにおける前記第２のサブフレーム中での減少した干渉を要求するメッセージ（例えば、ＤＬ−ＲＵＭ）を、第４のサブフレーム（例えば、サブフレーム０）中で送ってもよい。１つの設計では、例えば、図１０中で示されているように、第４のサブフレームは、第２のサブフレームから可変数個のサブフレームであってもよい。別の設計では、第４のサブフレームは、第２のサブフレームから固定数個のサブフレームであってもよい。基地局は、第５のサブフレーム（例えば、サブフレーム５）中で基準信号（例えば、ＵＬ−ＲＱＩ−ＲＳ）を送るようにＵＥに要求するメッセージ（例えば、ＲＱＩ−ＲＳ要求）も、第４のサブフレーム中で送ってもよい。第４のサブフレームは、第５のサブフレームから可変数個のサブフレームであってもよい。基地局は、第５のサブフレーム中で、ＵＥを含む複数のＵＥから複数の基準信号を受信してもよい。基地局は、複数の基準信号に基づいて、ＵＥに対する受信信号品質を決定してもよい。基地局は、ＵＥに対する受信信号品質に基づいて、ＵＥに対する変調コーディングスキーム（ＭＣＳ）を選択してもよく、選択したＭＣＳを含むアップリンク許可を送ってもよい。
【００８９】
さらなる別の設計では、ＵＥが、アップリンク上でデータを送るプロセス１１００を実行してもよい。ブロック１１１２において、ＵＥは、第１のサブフレーム（例えば、サブフレーム８）中でアップリンク許可を受信してもよく、ブロック１１１４において、第２のサブフレーム（例えば、サブフレーム１２）中でデータを送ってもよい。ＵＥは、第２のサブフレーム中で送られたデータに対して、第３のサブフレーム（例えば、サブフレーム１６）中でＡＣＫ／ＮＡＣＫフィードバックを受信してもよい。
【００９０】
１つの設計では、多重搬送波上での動作をサポートしてもよい。１つの設計では、ブロック１１１２において、複数の搬送波上でのデータ送信に対する許可を交換してもよい。ブロック１１１４において、許可によって示された複数の搬送波上でデータを交換してもよい。
【００９１】
図１２は、ワイヤレスネットワーク中でデータを交換する装置１２００の設計を示している。装置１２００は、第１のサブフレーム中で制御情報を交換するモジュール１２１２と、第１のサブフレーム中で交換した制御情報に基づいて、第２のサブフレーム中でデータを交換するモジュール１２１４と、第２のサブフレーム中で交換したデータに対して、第３のサブフレーム中でＡＣＫ／ＮＡＣＫフィードバックを交換するモジュール１２１６とを備え、第２のサブフレームは、第１のサブフレームから可変数個のサブフレームであり、第３のサブフレームは、第２のサブフレームから可変数個のサブフレームである。
【００９２】
図１３は、ワイヤレスネットワーク中でデータを交換するプロセス１３００の設計を示している。プロセス１３００は、ＵＥ、基地局／ｅＮＢ、または他の何らかのエンティティによって実行してもよい。ＵＥに対する少なくとも１つの許可を交換（例えば、送信または受信）してもよい（ブロック１３１２）。その後、少なくとも１つの許可によって示された可変数個のサブフレーム中でデータを交換してもよい（ブロック１３１４）。
【００９３】
ブロック１３１２の１つの設計では、少なくとも１つの干渉基地局からの減少した干渉を有し、基地局に割り振られたサブフレーム中で、少なくとも１つの許可を交換してもよい。１つの設計では、すべての利用可能なサブフレームの中で制御情報を送るために、基地局には、１セットのサブフレームが割り振られてもよい。基地局は、１セットのサブフレーム中で、高干渉を観測しているＵＥに許可を送ってもよく、残りのサブフレーム中で、許可をこれらのＵＥに送るのを回避してもよい。それぞれの許可は、単一のサブフレーム中での、または、複数のサブフレーム中でのデータ送信をカバーしてもよい。
【００９４】
１つの設計では、例えば、図９中で示されているように、基地局は、ダウンリンク上で、データをＵＥに送るプロセス１３００を実行してもよい。基地局は、ブロック１３１２において、少なくとも１つのダウンリンク許可をＵＥに送ってもよく、ブロック１３１４において、可変数個のサブフレーム中でデータをＵＥに送ってもよい。
【００９５】
別の設計では、例えば、図９中で示されているように、ＵＥは、ダウンリンク上で、基地局からデータを受信するプロセス１３００を実行してもよい。ＵＥは、ブロック１３１２において、少なくとも１つのダウンリンク許可を受信してもよく、ブロック１３１４において、可変数個のサブフレーム中でデータを受信してもよい。
【００９６】
さらなる別の設計では、例えば、図１０中で示されているように、基地局は、アップリンク上で、ＵＥからデータを受信するプロセス１３００を実行してもよい。基地局は、ブロック１３１２において、少なくとも１つのアップリンク許可をＵＥに送ってもよく、ブロック１３１４において、可変数個のサブフレーム中でＵＥからのデータを受信してもよい。
【００９７】
さらなる別の設計では、例えば、図１０中で示されているように、ＵＥは、ダウンリンク上で、データを基地局に送るプロセス１３００を実行してもよい。ＵＥは、ブロック１３１２において、少なくとも１つのアップリンク許可を受信してもよく、ブロック１３１４において、可変数個のサブフレーム中でデータを送ってもよい。
【００９８】
１つの設計では、ブロック１３１２において、可変数個のサブフレームのそれぞれ中でのデータ送信に対して１つの許可であるように、複数の許可をＵＥに送ってもよい。単一のサブフレーム中で、または、複数のサブフレーム（例えば、データが送られるそれぞれのサブフレームに対して１つのサブフレーム）中で、複数の許可を送ってもよい。１つの設計では、それぞれの許可は、それに対して許可が適用されるサブフレームの表示を含んでいてもよい。表示は、許可におけるフィールドによって明示的に与えられてもよく、あるいは、許可が送られるリソース、または、許可に対して使用されるスクランブリングコード等によって暗黙的に与えられてもよい。別の設計では、ブロック１３１２において、可変数個のサブフレームのすべて中でのデータ送信のために、単一の許可をＵＥに送ってもよい。
【００９９】
図１４は、ワイヤレスネットワーク中でデータを交換する装置１４００の設計を示している。装置１４００は、ＵＥに対する少なくとも１つの許可を交換するモジュール１４１２と、少なくとも１つの許可によって示された可変数個のサブフレーム中でデータを交換するモジュール１４１４とを備えている。
【０１００】
図１５は、ワイヤレスネットワーク中でデータを交換するプロセス１５００の設計を示している。プロセス１５００は、（以下で記述するような）基地局／ｅＮＢによって、または、他の何らかのエンティティによって実行してもよい。基地局が、減少した干渉を要求するメッセージをＰＤＣＣＨ上で送ってもよい（ブロック１５１２）。その後、基地局は、ＰＤＣＣＨ上で送られたメッセージにより減少した干渉を有するリソース上でデータを交換（例えば、送信、または、受信）してもよい（ブロック１５１４）。
【０１０１】
１つの設計では、例えば、図７中で示されているような、基地局が、ダウンリンク上でデータを送るプロセス１５００を実行してもよい。ブロック１５１２では、基地局が、少なくとも１つの干渉基地局からの減少した干渉を要求するメッセージ（例えば、ＲＵＭトリガ）をＰＤＣＣＨ上で送ってもよい。ブロック１５１４では、基地局は、ＰＤＣＣＨ上で送られたメッセージにより少なくとも１つの干渉基地局からの減少した干渉を有するリソース上で、データをＵＥに送ってもよい。基地局は、ＰＤＣＣＨ上でダウンリンク許可をＵＥに送ってもよく、ダウンリンク許可に基づいて、データをＵＥに送ってもよい。
【０１０２】
別の設計では、例えば、図８中で示されているような、基地局が、アップリンク上でデータを受信するプロセス１５００を実行してもよい。ブロック１５１２では、基地局は、少なくとも１つの隣接基地局と通信している少なくとも１つの干渉ＵＥからの減少した干渉を要求するメッセージ（例えば、ＤＬ−ＲＵＭ）をＰＤＣＣＨ上で送ってもよい。ブロック１５１４では、基地局が、ＰＤＣＣＨ上で送られたメッセージにより少なくとも１つの干渉ＵＥからの減少した干渉を有するリソース上でデータをＵＥから受信してもよい。１つの設計では、基地局は、基準信号（例えば、ＵＬ−ＲＱＩ−ＲＳ）を送るようにＵＥに要求する第２のメッセージ（例えば、ＲＱＩ−ＲＳ要求）をＰＤＣＣＨ上で送ってもよい。基地局は、ＵＥを含む複数のＵＥから複数の基準信号を受信してもよく、これらの基準信号に基づいて、ＵＥに対する受信信号品質を推定してもよい。基地局は、ＵＥに対する推定した受信信号品質に基づいて、変調コーディングスキーム（ＭＣＳ）を決定してもよい。基地局は、選択したＭＣＳを含むアップリンク許可を発生させ、ＰＤＣＣＨ上でアップリンク許可をＵＥに送り、アップリンク許可に基づいてＵＥによって送られたデータを受信してもよい。
【０１０３】
１つの設計では、多重搬送波動作をサポートしてもよい。１つの設計では、基地局が、複数の搬送波のそれぞれ上のＰＤＣＣＨ上でメッセージを送ってもよい。それぞれのメッセージは、メッセージが送られる搬送波上の減少した干渉を要求してもよい。別の設計では、基地局は、複数の搬送波の間から指定された搬送波上のＰＤＣＣＨ上でメッセージを送ってもよい。それぞれのメッセージは、複数の搬送波のうちの１つ以上のもの上での減少した干渉を要求してもよい。
【０１０４】
図１６は、ワイヤレスネットワーク中でデータを交換する装置１６００の設計を示している。装置１６００は、減少した干渉を要求するメッセージをＰＤＣＣＨ上で送るモジュール１６１２と、ＰＤＣＣＨ上で送られたメッセージにより減少した干渉を有するリソース上でデータを交換するモジュール１６１４とを備えている。
【０１０５】
図１７は、ワイヤレスネットワーク中でデータを交換するプロセス１７００の設計を示している。プロセス１７００は、（以下で記述するような）ＵＥによって、または、他の何らかのエンティティによって実行してもよい。ＵＥは、ＰＤＣＣＨ上で少なくとも１つの基地局によって送られた、減少した干渉を要求するメッセージを監視してもよい（ブロック１７１２）。ＵＥは、ＰＤＣＣＨ上で少なくとも１つの基地局によって送られたメッセージにより減少した干渉を有するリソース上でデータを交換（例えば、送信または受信）してもよい（ブロック１７１４）。
【０１０６】
１つの設計では、ＵＥが、例えば、図７中で示されているような、ダウンリンク上でデータを受信するプロセス１７００を実行してもよい。ＵＥは、少なくとも１つの隣接基地局からの減少した干渉を有するリソース上で担当基地局からデータを受信してもよい。１つの設計では、ＵＥは、ＰＤＣＣＨ上で隣接基地局によって送られた、減少した干渉を要求する第１のメッセージ（例えば、ＲＵＭトリガ）を受信してもよい。ＵＥは、隣接基地局からの、減少した干渉の要求を転送するために、第２のメッセージ（例えば、ＵＬ−ＲＵＭ）を担当基地局に送ってもよい。別の設計では、ＵＥが、ＰＤＣＣＨ上で担当基地局によって送られた、減少した干渉を要求する第１のメッセージを受信してもよい。ＵＥは、担当基地局からの、減少した干渉の要求を転送するために、第２のメッセージを少なくとも１つの隣接基地局に送ってもよい。１つの設計では、ＵＥは、担当基地局と少なくとも１つの隣接基地局とを含む複数の基地局から、複数の基準信号（例えば、ＤＬ−ＲＱＩ−ＲＳ）を受信してもよい。ＵＥは、基準信号に基づいて、担当基地局に対する受信信号品質を推定してもよい。ＵＥは、担当基地局に対する受信信号品質を示すＲＱＩを送ってもよい。
【０１０７】
別の設計では、ＵＥが、例えば、図８中で示されているように、アップリンク上でデータを送るプロセス１７００を実行してもよい。ＵＥは、少なくとも１つの隣接基地局と通信している少なくとも１つの干渉ＵＥからの減少した干渉を有するリソース上でデータを担当基地局に送ってもよい。１つの設計では、ＵＥは、ＰＤＣＣＨ上で少なくとも１つの隣接基地局によって送られた、減少した干渉を要求する少なくとも１つのメッセージ（例えば、ＤＬ−ＲＵＭ）を受信してもよい。少なくとも１つの隣接基地局から受信した少なくとも１つのメッセージに基づいて、リソース上でデータを送るか否かを、ＵＥは決定してもよい。ＵＥは、ＰＤＣＣＨ上で担当基地局によって送られた、基準信号の送信を要求するメッセージ（例えば、ＲＱＩ−ＲＳ要求）を受信してもよい。ＵＥは、少なくとも１つの隣接基地局からの少なくとも１つのメッセージと、担当基地局からのメッセージとに応答して、リソースに対する第１の送信電力レベルを決定してもよい。その後、ＵＥは、第１の送信電力レベルに基づいて決定された第２の送信電力レベルで、基準信号（例えば、ＵＬ−ＲＱＩ−ＲＳ）を送信してもよい。
【０１０８】
１つの設計では、多重搬送波動作をサポートしてもよい。１つの設計では、ＵＥは、複数の搬送波のそれぞれ上で、少なくとも１つの基地局からのメッセージを監視してもよい。別の設計では、ＵＥは、複数の搬送波の間から指定された搬送波上で、少なくとも１つの基地局からのメッセージを監視してもよい。
【０１０９】
図１８は、ワイヤレスネットワーク中でデータを交換する装置１８００の設計を示している。装置１８００は、ＰＤＣＣＨ上で少なくとも１つの基地局によって送られた、減少した干渉を要求するメッセージを監視するモジュール１８１２と、ＰＤＣＣＨ上で少なくとも１つの基地局によって送られたメッセージにより減少した干渉を有するリソース上でデータを交換するモジュール１８１４とを備えている。
【０１１０】
図１２、図１４、図１６、および図１８中のモジュールは、プロセッサ、電子デバイス、ハードウェアデバイス、電子コンポーネント、論理回路、メモリ、ソフトウェアコード、ファームウェアコード等、またはこれらの任意の組み合わせたものを含んでいてもよい。
【０１１１】
図１９は、基地局／ｅＮＢ１１０およびＵＥ１２０の設計のブロックダイアグラムを示しており、基地局／ｅＮＢ１１０およびＵＥ１２０は、図１における、基地局／ｅＮＢのうちの１つ、および、ＵＥのうちの１つであってもよい。基地局１１０には、Ｔ本のアンテナ１９３４ａないし１９３４ｔが備えられていてもよく、ＵＥ１２０にはＲ本のアンテナ１９５２ａないし１９５２ｒが備えられていてもよい。ここで、一般的に、Ｔ≧１であり、Ｒ≧１である。
【０１１２】
基地局１１０では、送信プロセッサ１９２０が、データソース１９１２からデータを、そして制御装置／プロセッサ１９４０から制御情報を受け取ってもよい。制御情報は、ＲＵＭトリガや、ＤＬ−ＲＵＭや、ＲＱＩ−ＲＳ要求や、ダウンリンク許可、アップリンク許可等のような、制御メッセージを含んでいてもよい。プロセッサ１９２０は、それぞれ、データおよび制御情報を処理（例えば、エンコードおよび変調）して、データシンボルと制御シンボルとを取得してもよい。プロセッサ１９２０は、例えば、ＣＲＳ、ＤＬ―ＲＱＩ−ＲＳ等に対する基準シンボルも発生させてもよい。送信（ＴＸ）複数入力複数出力（ＭＩＭＯ）プロセッサ１９３０は、適用できるならば、データシンボル上で、制御シンボル上で、および／または基準シンボル上で、空間処理（例えば、プレコーディング）を実行してもよく、Ｔ個の出力シンボルストリームをＴ個の変調器（ＭＯＤ）１９３２ａないし１９３２ｔに提供してもよい。それぞれの変調器１９３２は、（例えば、ＯＦＤＭ等のために）各出力シンボルストリームを処理して、出力サンプルストリームを取得してもよい。それぞれの変調器１９３２は、出力サンプルストリームをさらに処理（例えば、アナログ変換、増幅、フィルタリング、およびアップコンバート）し、ダウンリンク信号を取得してもよい。変調器１９３２ａないし１９３２ｔからのＴ個のダウンリンク信号は、それぞれ、Ｔ本のアンテナ１９３４ａないし１９３４ｔを通して送信されてもよい。
【０１１３】
ＵＥ１２０では、アンテナ１９５２ａないし１９５２ｒが、ダウンリンク信号を基地局１１０および他の基地局から受信してもよく、それぞれ、受信信号を復調器（ＤＥＭＯＤ）１９５４ａないし１９５４ｒに提供してもよい。それぞれの復調器１９５４は、各受信信号を調整（例えば、フィルタリング、増幅、ダウンコンバート、およびデジタル化）して、入力サンプルを取得してもよい。それぞれの復調器１９５４は、（例えば、ＯＦＤＭ等のために）入力サンプルをさらに処理して、受信シンボルを取得してもよい。ＭＩＭＯ検出器１９５６は、受信シンボルをＲ個の復調器１９５４ａないし１９５４ｒすべてから得て、適用できるならば、受信シンボル上でＭＩＭＯ検出を実行し、検出されたシンボルを提供してもよい。受信プロセッサ１９５８は、検出されたシンボルを処理（例えば、復調およびデコード）し、ＵＥ１２０に対するデコードされたデータをデータシンク１９６０に提供し、デコードされた制御情報を制御装置／プロセッサ１９８０に提供してもよい。
【０１１４】
アップリンク上で、ＵＥ１２０では、送信プロセッサ１９６４が、データをデータソース１９６２から、そして制御情報を制御装置／プロセッサ１９８０から受け取ってもよい。制御情報は、スケジューリング要求、ＵＬ−ＲＵＭ、ＲＱＩ等のような、制御メッセージを含んでいてもよい。プロセッサ１９６４は、データと制御情報とを処理（例えば、エンコードおよび変調）し、データシンボルと制御シンボルとをそれぞれ取得してもよい。プロセッサ１９６４はまた、例えば、ＵＬ−ＲＱＩ−ＲＳに対する基準シンボルを発生させてもよい。（例えば、ＳＣ−ＯＦＤＭ、ＯＦＤＭ等のために）送信プロセッサ１９６４からのシンボルを、適用できるならば、ＴＸ ＭＩＭＯプロセッサ１９６６によってプレコーディングし、変調器１９５４ａないし１９５４ｒによってさらに処理し、基地局１１０に、そして場合によっては他の基地局に送信してもよい。基地局１１０において、ＵＥ１２０と他のＵＥとからのアップリンク信号を、アンテナ１９３４によって受信し、復調器１９３２によって処理し、適用できるならば、ＭＩＭＯ検出器１９３６によって検出し、受信プロセッサ１９３８によってさらに処理し、デコードされたデータと、ＵＥ１２０および他のＵＥによって送られた制御情報とを取得してもよい。プロセッサ１９３８は、デコードされたデータをデータシンク１９３９に、そして、デコードされた制御情報を制御装置／プロセッサ１９４０に提供してもよい。
【０１１５】
制御装置／プロセッサ１９４０および１９８０は、それぞれ、基地局１１０およびＵＥ１２０における動作を指示してもよい。基地局１１０におけるプロセッサ１９４０および／または他のプロセッサおよびモジュールは、図１１中のプロセス１１００を、図１３中のプロセス１３００を、図１５中のプロセス１５００を、および／またはここで記述した技術に対する他のプロセスを、実行または指示してもよい。ＵＥ１２０におけるプロセッサ１９８０および／または他のプロセッサおよびモジュールは、図１１中のプロセス１１００を、図１３中のプロセス１３００を、図１７中のプロセス１７００を、および／またはここで記述した技術に対する他のプロセスを、実行または指示してもよい。メモリ１９４２および１９８２は、それぞれ、基地局１１０およびＵＥ１２０に対するデータおよびプログラムコードを記憶してもよい。スケジューラ１９４４は、ダウンリンクおよびアップリンク上でのデータ送信のためにＵＥをスケジューリングしてもよい。
【０１１６】
さまざまな異なるテクノロジーおよび技術のうちの任意のものを使用して、情報および信号を表してもよいことを、当業者は理解するだろう。例えば、上記の記述全体を通して参照した、データ、命令、コマンド、情報、信号、ビット、シンボル、およびチップは、電圧、電流、電磁波、磁気フィールドまたは微粒子、光学フィールドまたは光学微粒子、あるいはこれらの任意の組み合わせによって表してもよい。
【０１１７】
さらに、ここでの開示に関連して記述した、さまざまな例示的な論理ブロック、モジュール、回路、およびアルゴリズムステップは、電子ハードウェア、コンピュータソフトウェア、あるいは双方を組み合わせたものとして実現してもよいことを、当業者はさらに正しく認識するだろう。ハードウェアおよびソフトウェアのこの互換性を明確に図示するために、さまざまな例示的なコンポーネント、ブロック、モジュール、回路、およびステップを、これらの機能性の観点に関して上記で概して記述している。このような機能性が、ハードウェアまたはソフトウェアとして実現されるか否かは、システム全体に課せられている、特定のアプリケーションおよび設計制約に依存する。熟練者は、それぞれの特定のアプリケーションの方法を変えて、記述した機能性を実現するかもしれないが、このようなインプリメンテーションの決定は、本開示の範囲から逸脱が生じるとして解釈されるべきでない。
【０１１８】
ここでの開示に関連して記述した、さまざまな例示的な論理ブロック、モジュール、および回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブルロジックデバイス、ディスクリートゲートまたはトランジスタロジック、ディスクリートハードウェアコンポーネント、あるいは、ここで記述した機能を実行するように設計されているこれらの任意の組み合わせで実現しても、あるいは、実行してもよい。汎用プロセッサはマイクロプロセッサであってもよいが、代替実施形態では、プロセッサは、何らかの従来のプロセッサ、制御装置、マイクロ制御装置、または状態機械であってもよい。プロセッサはまた、コンピューティングデバイスの組み合わせとして、例えば、ＤＳＰとマイクロプロセッサの組み合わせとして、複数のマイクロプロセッサとして、ＤＳＰコアに関連した１つ以上のマイクロプロセッサとして、あるいは、このような他の何らかの構成として実現してもよい。
【０１１９】
ここでの開示に関連して記述した方法またはアルゴリズムのステップは、ハードウェアで、プロセッサにより実行されるソフトウェアモジュールで、あるいは、２つのものを組み合わせたもので直接的に具体化されてもよい。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバルディスク、ＣＤ−ＲＯＭ、または技術的に知られている記憶媒体の他の何らかの形態で存在していてもよい。プロセッサが記憶媒体から情報を読み取ったり、記憶媒体に情報を書き込んだりできるように、例示的な記憶媒体はプロセッサに結合されている。代替実施形態では、記憶媒体は、プロセッサと一体化されてもよい。プロセッサおよび記憶媒体は、ＡＳＩＣ中に存在していてもよい。ＡＳＩＣは、ユーザ端末中に存在していてもよい。代替実施形態では、プロセッサおよび記憶媒体は、ユーザ端末中にディスクリートコンポーネントとして存在していてもよい。
【０１２０】
１つ以上の例示的な設計では、記述した機能は、ハードウェア、ソフトウェア、ファームウェア、またはこれらの任意の組み合わせで実現してもよい。ソフトウェアで実現した場合、機能は、１つ以上の命令またはコードとしてコンピュータ読み取り可能媒体上に記憶されてもよく、あるいは、１つ以上の命令またはコードとしてコンピュータ読み取り可能媒体上に送信されてもよい。コンピュータ読み取り可能媒体は、１つの場所から別の場所へのコンピュータプログラムの転送を促進する何らかの媒体を含むコンピュータ記憶媒体および通信媒体の双方を含む。記憶媒体は、汎用コンピュータまたは特殊目的コンピュータによってアクセスできる何らかの利用可能な媒体であってもよい。例示によると、このようなコンピュータ読み取り可能な媒体は、ＲＡＭ、ＲＯＭ、ＥＥＰＲＯＭ、ＣＤ−ＲＯＭ、または他の光ディスク記憶デバイス、磁気ディスク記憶デバイス、または他の磁気記憶デバイス、あるいは命令またはデータ構成の形態で所望のプログラムコード手段を伝送または記憶するために使用でき、汎用または特殊目的コンピュータあるいは汎用または特殊目的プロセッサによってアクセスできる他の何らかの媒体を含むことができるが、これらに限定されない。また、あらゆる接続は、コンピュータ読み取り可能媒体と適切に呼ばれている。例えば、ソフトウェアが、ウェブサイトや、サーバから、あるいは同軸ケーブルや、ファイバ光ケーブル、撚り対、デジタル加入者線（ＤＳＬ）、または赤外線、無線、マイクロ波のようなワイヤレス技術を使用している他の遠隔ソースから送信された場合、同軸ケーブル、ファイバ光ケーブル、撚り対、ＤＳＬ、あるいは赤外線、無線、およびマイクロ波のようなワイヤレス技術は、媒体の定義に含まれる。ここで使用したようなディスク（ｄｉｋおよびｄｉｃ）は、コンパクトディスク（ＣＤ）、レーザディスク、光ディスク、デジタル汎用ディスク（ＤＶＤ）、フロッピー（登録商標）ディスク、およびブルーレイ（登録商標）ディスクを含むが、一般的に、ディスク（ｄｉｓｋ）は、データを磁気的に再生する一方で、ディスク（ｄｉｓｃ）はデータをレーザによって光学的に再生する。先のものを組み合わせたものもまた、コンピュータ読み取り可能媒体の範囲内に含められるべきである。
【０１２１】
開示の先の説明は、当業者が本開示を作り、または、使用できるように提供されている。開示に対するさまざまな修正は、当業者に容易に明らかになるであろう。また、ここで規定されている一般的な原理は、本開示の範囲の精神または範囲を逸脱することなく、他の変形に適用されてもよい。したがって、本開示は、ここに記述した例および設計に限定されることを意図しているものではないが、特許請求の範囲によって規定されている、ここで開示した原理および新規な特徴と矛盾しない最も広範囲に一致させるべきである。
以下に、本願出願時の特許請求の範囲に記載された発明を付記する。
［１］ワイヤレス通信のための方法において、
第１のサブフレーム中で制御情報を交換することと、
前記第１のサブフレーム中で交換した前記制御情報に基づいて、第２のサブフレーム中でデータを交換することとを含み、
前記第２のサブフレームは、前記第１のサブフレームから可変数個のサブフレームである方法。
［２］前記第２のサブフレーム中で交換した前記データに対して、第３のサブフレーム中で肯定応答／否定応答（ＡＣＫ／ＮＡＣＫ）フィードバックを交換することをさらに含み、前記第３のサブフレームは、前記第２のサブフレームから可変数個のサブフレームである［１］記載の方法。
［３］前記第１のサブフレームは、基地局に割り振られ、少なくとも１つの干渉基地局からの減少した干渉を有し、前記第２のサブフレームは、前記基地局と前記少なくとも１つの干渉基地局とに対して利用可能である［１］記載の方法。
［４］少なくとも１つの干渉基地局からの減少した干渉を有し、制御情報を送るために基地局に割り振られる１セットのサブフレームを決定することをさらに含み、前記第１のサブフレームは、前記１セットのサブフレーム中のものである［１］記載の方法。
［５］制御情報を送るために基地局に割り振られる少なくとも１つのインターレースを決定することをさらに含み、前記少なくとも１つのインターレース中のサブフレームは、少なくとも１つの干渉基地局からの減少した干渉を有し、前記第１のサブフレームは、前記基地局に割り振られる前記少なくとも１つのインターレース中に属している［１］記載の方法。
［６］前記制御情報を交換することは、前記第１のサブフレーム中でダウンリンク許可を送ることを含み、前記データを交換することは、前記第２のサブフレーム中でデータを送ることを含む［１］記載の方法。
［７］前記制御情報を交換することは、前記第１のサブフレーム中でダウンリンク許可を受信することを含み、前記データを交換することは、前記第２のサブフレーム中でデータを受信することを含む［１］記載の方法。
［８］前記制御情報を交換することは、前記第１のサブフレーム中でアップリンク許可を送ることを含み、前記データを交換することは、前記第２のサブフレーム中でデータを受信することを含む［１］記載の方法。
［９］前記制御情報を交換することは、前記第１のサブフレーム中でアップリンク許可を受信することを含み、前記データを交換することは、前記第２のサブフレーム中でデータを送ることを含む［１］記載の方法。
［１０］ダウンリンクにおける前記第２のサブフレーム中での減少した干渉を要求するメッセージを、第３のサブフレーム中で送ることをさらに含み、前記第３のサブフレームは、前記第２のサブフレームから可変数個のサブフレームである［１］記載の方法。
［１１］前記第３のサブフレームから可変数個のサブフレームである第４のサブフレーム中で基準信号を送ることをさらに含む［１０］記載の方法。
［１２］アップリンク上における前記第２のサブフレーム中での減少した干渉を要求するメッセージを第３のサブフレーム中で送ることをさらに含み、前記第３のサブフレームは、前記第２のサブフレームから可変数個のサブフレームである［１］記載の方法。
［１３］第４のサブフレーム中で基準信号を送るようにユーザ機器（ＵＥ）に要求するメッセージを、第３のサブフレーム中で送ることをさらに含み、前記第３のサブフレームは、前記第４のサブフレームから可変数個のサブフレームである［１］記載の方法。
［１４］前記第４のサブフレーム中で、ユーザ機器（ＵＥ）を含む複数のＵＥから複数の基準信号を受信することと、
前記複数の基準信号に基づいて、前記ＵＥに対する受信信号品質を決定することとをさらに含む［１３］記載の方法。
［１５］前記制御情報を交換することは、複数の搬送波上でのデータ送信に対する許可を交換することを含み、前記データを交換することは、前記許可によって示された前記複数の搬送波上でデータを交換することを含む［１］記載の方法。
［１６］ワイヤレス通信のための装置において、
第１のサブフレーム中で制御情報を交換する手段と、
前記第１のサブフレーム中で交換した前記制御情報に基づいて、第２のサブフレーム中でデータを交換する手段とを具備し、
前記第２のサブフレームは、前記第１のサブフレームから可変数個のサブフレームである装置。
［１７］前記第２のサブフレーム中で交換した前記データに対して、第３のサブフレーム中で肯定応答／否定応答（ＡＣＫ／ＮＡＣＫ）フィードバックを交換する手段をさらに具備し、前記第３のサブフレームは、前記第２のサブフレームから可変数個のサブフレームである［１６］記載の装置。
［１８］ダウンリンクにおける前記第２のサブフレーム中での減少した干渉を要求するメッセージを、第３のサブフレーム中で送る手段をさらに具備し、前記第３のサブフレームは、前記第２のサブフレームから可変数個のサブフレームである［１６］記載の装置。
［１９］前記第３のサブフレームから可変数個のサブフレームである第４のサブフレーム中で基準信号を送る手段をさらに具備する［１８］記載の装置。
［２０］アップリンクにおける前記第２のサブフレーム中での減少した干渉を要求するメッセージを、第３のサブフレーム中で送る手段をさらに具備し、前記第３のサブフレームは、前記第２のサブフレームから可変数個のサブフレームである［１６］記載の装置。
［２１］ワイヤレス通信のための装置において、
第１のサブフレーム中で制御情報を交換するようにと、
前記第１のサブフレーム中で交換した前記制御情報に基づいて、第２のサブフレーム中でデータを交換するように構成されている少なくとも１つのプロセッサを具備し、
前記第２のサブフレームは、前記第１のサブフレームから可変数個のサブフレームである装置。
［２２］前記少なくとも１つのプロセッサは、前記第２のサブフレーム中で交換した前記データに対して、第３のサブフレーム中で肯定応答／否定応答（ＡＣＫ／ＮＡＣＫ）フィードバックを交換するように構成され、前記第３のサブフレームは、前記第２のサブフレームから可変数個のサブフレームである［２１］記載の装置。
［２３］前記少なくとも１つのプロセッサは、ダウンリンクにおける前記第２のサブフレーム中での減少した干渉を要求するメッセージを、第３のサブフレーム中で送るように構成され、前記第３のサブフレームは、前記第２のサブフレームから可変数個のサブフレームである［２１］記載の装置。
［２４］前記少なくとも１つのプロセッサは、前記第３のサブフレームから可変数個のサブフレームである第４のサブフレーム中で基準信号を送るように構成されている［２３］記載の装置。
［２５］前記少なくとも１つのプロセッサは、アップリンクにおける前記第２のサブフレーム中での減少した干渉を要求するメッセージを、第３のサブフレーム中で送るように構成され、前記第３のサブフレームは、前記第２のサブフレームから可変数個のサブフレームである［２１］記載の装置。
［２６］コンピュータプログラムプロダクトにおいて、
第１のサブフレーム中で制御情報を少なくとも１つのコンピュータに交換させるためのコードと、
前記第１のサブフレーム中で交換した前記制御情報に基づいて、第２のサブフレーム中でデータを前記少なくとも１つのコンピュータに交換させるためのコードとを含むコンピュータ読み取り可能媒体を具備し、
前記第２のサブフレームは、前記第１のサブフレームから可変数個のサブフレームであるコンピュータプログラムプロダクト。
［２７］ワイヤレス通信のための方法において、
ユーザ機器（ＵＥ）に対する少なくとも１つの許可を交換することと、
前記少なくとも１つの許可によって示された可変数個のサブフレーム中でデータを交換することとを含む方法。 
［２８］前記少なくとも１つの許可を交換することは、少なくとも１つの干渉基地局からの減少した干渉を有し、基地局に割り振られるサブフレーム中で、前記少なくとも１つの許可を交換することを含む［２７］記載の方法。
［２９］前記基地局は、すべての利用可能なサブフレーム間で制御情報を送るために１セットのサブフレームが割り振られ、前記基地局は、前記１セットのサブフレーム中では、高干渉を観測しているＵＥに許可を送り、残りのサブフレーム中では、高干渉を観測している前記ＵＥに許可を送らない［２８］記載の方法。
［３０］前記少なくとも１つの許可を交換することは、少なくとも１つのダウンリンク許可を前記ＵＥに送ることを含み、前記データを交換することは、前記可変数個のサブフレーム中でデータを前記ＵＥに送ることを含む［２７］記載の方法。
［３１］前記少なくとも１つの許可を交換することは、前記ＵＥにおいて少なくとも１つのダウンリンク許可を受信することを含み、前記データを交換することは、前記ＵＥにおいて前記可変数個のサブフレーム中でデータを受信することを含む［２７］記載の方法。
［３２］前記少なくとも１つの許可を交換することは、少なくとも１つのアップリンク許可を前記ＵＥに送ることを含み、前記データを交換することは、前記可変数個のサブフレーム中で前記ＵＥからのデータを受信することを含む［２７］記載の方法。
［３３］前記少なくとも１つの許可を交換することは、前記ＵＥにおいて少なくとも１つのアップリンク許可を受信することを含み、前記データを交換することは、前記可変数個のサブフレーム中で前記ＵＥからのデータを送ることを含む［２７］記載の方法。
［３４］前記少なくとも１つの許可を交換することは、前記可変数個のサブフレームのそれぞれ中でのデータ送信に対して１つの許可であるように、複数の許可を前記ＵＥに送ることを含む［２７］記載の方法。
［３５］単一のサブフレーム中で前記複数の許可を送る［３４］記載の方法。
［３６］それぞれの許可は、それに対して前記許可が適用されるサブフレームの表示を含み、前記表示は、前記許可中のフィールド、または、前記許可が送られるリソース、または、前記許可に使用されるスクランブリングコードによって与えられる［３４］記載の方法。
［３７］前記少なくとも１つの許可を交換することは、前記可変数個のサブフレームのすべて中でのデータ送信に対して単一の許可を送ることを含む［２７］記載の方法。
［３８］ワイヤレス通信のための装置において、
ユーザ機器（ＵＥ）に対する少なくとも１つの許可を交換する手段と、
前記少なくとも１つの許可によって示された可変数個のサブフレーム中でデータを交換する手段とを具備する装置。
［３９］前記少なくとも１つの許可を交換する手段は、前記ＵＥにおいて少なくとも１つのダウンリンク許可を受信する手段を備え、前記データを交換する手段は、前記ＵＥにおいて前記可変数個のサブフレーム中でデータを受信する手段を備える［３８］記載の装置。
［４０］前記少なくとも１つの許可を交換する手段は、前記ＵＥにおいて少なくとも１つのアップリンク許可を受信する手段を備え、前記データを交換する手段は、前記可変数個のサブフレーム中で前記ＵＥからのデータを送る手段を備える［３８］記載の装置。
［４１］前記少なくとも１つの許可を交換する手段は、前記可変数個のサブフレームのそれぞれ中でのデータ送信に対して１つの許可であるように、複数の許可を前記ＵＥに送る手段を備える［３８］記載の装置。
［４２］前記少なくとも１つの許可を交換する手段は、前記可変数個のサブフレームのすべて中でのデータ送信に対して単一の許可を送る手段を備える［３８］記載の装置。
［４３］ワイヤレス通信のための装置において、
ユーザ機器（ＵＥ）に対する少なくとも１つの許可を交換するようにと、
前記少なくとも１つの許可によって示された可変数個のサブフレーム中でデータを交換するように構成されている少なくとも１つのプロセッサを具備する装置。
［４４］コンピュータプログラムプロダクトにおいて、
ユーザ機器（ＵＥ）に対する少なくとも１つの許可を少なくとも１つのコンピュータに交換させるためのコードと、
前記少なくとも１つの許可によって示された可変数個のサブフレーム中でデータを前記少なくとも１つのコンピュータに交換させるためのコードとを含むコンピュータ読み取り可能媒体を具備するコンピュータプログラムプロダクト。
［４５］ワイヤレス通信のための方法において、
物理ダウンリンク制御チャネル（ＰＤＣＣＨ）上で、減少した干渉を要求するメッセージを送ることと、
前記ＰＤＣＣＨ上で送られた前記メッセージにより減少した干渉を有するリソース上でデータを交換することとを含む方法。
［４６］前記メッセージを送ることは、少なくとも１つの干渉基地局からの減少した干渉を要求する前記メッセージを、前記ＰＤＣＣＨ上で基地局によって送ることを含み、前記データを交換することは、前記ＰＤＣＣＨ上で送られた前記メッセージにより前記少なくとも１つの干渉基地局からの減少した干渉を有する前記リソース上で、データをユーザ機器（ＵＥ）に送ることを含む［４５］記載の方法。
［４７］前記ＰＤＣＣＨ上でダウンリンク許可を前記ＵＥに送ることをさらに含み、データは、前記ダウンリンク許可に基づいて前記ＵＥに送られる［４６］記載の方法。
［４８］前記メッセージを送ることは、少なくとも１つの隣接基地局と通信している少なくとも１つの干渉ユーザ機器（ＵＥ）からの減少した干渉を要求する前記メッセージを、前記ＰＤＣＣＨ上で基地局によって送ることを含み、前記データを交換することは、前記ＰＤＣＣＨ上で送られた前記メッセージにより前記少なくとも１つの干渉ＵＥからの減少した干渉を有する前記リソース上でＵＥからデータを受信することを含む［４５］記載の方法。
［４９］前記ＰＤＣＣＨ上でアップリンク許可を前記ＵＥに送ることをさらに含み、データは、前記アップリンク許可に基づいて前記ＵＥによって送られる［４８］記載の方法。
［５０］基準信号を送るようにユーザ機器（ＵＥ）に要求する第２のメッセージを、前記ＰＤＣＣＨ上で送ることと、
前記ＵＥを含む複数のＵＥから複数の基準信号を受信することと、
前記複数の基準信号に基づいて、前記ＵＥに対する受信信号品質を推定することと、
前記ＵＥに対する前記推定した受信信号品質に基づいて、前記リソース上で交換される前記データに対する変調コーディングスキームを決定することとをさらに含む［４５］記載の方法。
［５１］複数の搬送波のそれぞれ上の前記ＰＤＣＣＨ上でメッセージを送ることをさらに含み、それぞれのメッセージは、メッセージが送られる搬送波上での減少した干渉を要求する［４５］記載の方法。
［５２］複数の搬送波の間から指定された搬送上の前記ＰＤＣＣＨ上でメッセージを送ることとをさらに含み、それぞれのメッセージは、前記複数の搬送波のうちの１つ以上での減少した干渉を要求する［４５］記載の方法。
［５３］ワイヤレス通信のための装置において、
物理ダウンリンク制御チャネル（ＰＤＣＣＨ）上で、減少した干渉を要求するメッセージを送る手段と、
前記ＰＤＣＣＨ上で送られた前記メッセージにより減少した干渉を有するリソース上でデータを交換する手段とを具備する装置。
［５４］前記メッセージを送る手段は、少なくとも１つの干渉基地局からの減少した干渉を要求する前記メッセージを、前記ＰＤＣＣＨ上で基地局によって送る手段を備え、前記データを交換する手段は、前記ＰＤＣＣＨ上で送られた前記メッセージにより前記少なくとも１つの干渉基地局からの減少した干渉を有する前記リソース上でデータをユーザ機器（ＵＥ）に送る手段を備える［５３］記載の装置。
［５５］前記メッセージを送る手段は、少なくとも１つの隣接基地局と通信している少なくとも１つの干渉ユーザ機器（ＵＥ）からの減少した干渉を要求する前記メッセージを、前記ＰＤＣＣＨ上で基地局によって送る手段を備え、前記データを交換する手段は、前記ＰＤＣＣＨ上で送られた前記メッセージにより前記少なくとも１つの干渉ＵＥからの減少した干渉を有する前記リソース上で、ＵＥからデータを受信する手段を備える［５３］記載の装置。
［５６］基準信号を送るようにユーザ機器（ＵＥ）に要求する第２のメッセージを、前記ＰＤＣＣＨ上で送る手段と、
前記ＵＥを含む複数のＵＥから複数の基準信号を受信する手段と、
前記複数の基準信号に基づいて、前記ＵＥに対する受信信号品質を推定する手段と、
前記ＵＥに対する前記推定した受信信号品質に基づいて、前記リソース上で交換される前記データに対する変調コーディングスキームを決定する手段とをさらに具備する［５３］記載の装置。
［５７］ワイヤレス通信のための装置において、
物理ダウンリンク制御チャネル（ＰＤＣＣＨ）上で、減少した干渉を要求するメッセージを送るようにと、
前記ＰＤＣＣＨ上で送られた前記メッセージにより減少した干渉を有するリソース上でデータを交換するように構成されている少なくとも１つのプロセッサを具備する装置。
［５８］コンピュータプログラムプロダクトにおいて、
物理ダウンリンク制御チャネル（ＰＤＣＣＨ）上で、減少した干渉を要求するメッセージを少なくとも１つのコンピュータに送らせるためのコードと、
前記ＰＤＣＣＨ上で送られた前記メッセージにより減少した干渉を有するリソース上でデータを前記少なくとも１つのコンピュータに交換させるためのコードとを含むコンピュータ読み取り可能媒体を具備するコンピュータプログラムプロダクト。
［５９］ワイヤレス通信のための方法において、
物理ダウンリンク制御チャネル（ＰＤＣＣＨ）上で少なくとも１つの基地局によって送られた、減少した干渉を要求するメッセージを監視することと、
前記ＰＤＣＣＨ上で前記少なくとも１つの基地局によって送られた前記メッセージにより減少した干渉を有するリソース上でデータを交換することとを含む方法。
［６０］前記データを交換することは、少なくとも１つの隣接基地局からの減少した干渉を有する前記リソース上で、担当基地局からデータを受信することを含む［５９］記載の方法。
［６１］前記ＰＤＣＣＨ上で隣接基地局によって送られた、減少した干渉を要求する第１のメッセージを受信することと、
前記隣接基地局からの、減少した干渉の前記要求を転送するために、第２のメッセージを前記担当基地局に送ることとをさらに含む［６０］記載の方法。
［６２］前記ＰＤＣＣＨ上で前記担当基地局によって送られた、減少した干渉を要求する第１のメッセージを受信することと、
前記担当基地局からの、減少した干渉の前記要求を転送するために、第２のメッセージを前記少なくとも１つの隣接基地局に送ることをさらに含む［６０］記載の方法。
［６３］担当基地局と少なくとも１つの隣接基地局とを含む複数の基地局から、複数の基準信号を受信することと、
前記複数の基準信号に基づいて、前記担当基地局に対する受信信号品質を推定することと、
前記担当基地局に対する前記受信信号品質を示すリソース品質インジケータ（ＲＱＩ）を送ることとをさらに含む［５９］記載の方法。
［６４］前記データを交換することは、少なくとも１つの隣接基地局と通信している少なくとも１つの干渉ユーザ機器（ＵＥ）からの減少した干渉を有する前記リソース上でデータを担当基地局に送ることを含む［５９］記載の方法。
［６５］前記ＰＤＣＣＨ上で少なくとも１つの隣接基地局によって送られた、減少した干渉を要求する少なくとも１つのメッセージを受信することと、
前記ＰＤＣＣＨ上で担当基地局によって送られた、基準信号の送信を要求するメッセージを受信することと、
前記少なくとも１つの隣接基地局からの前記少なくとも１つのメッセージと前記担当基地局からの前記メッセージとに応答して、前記リソースに対する第１の送信電力レベルを決定することと、
前記第１の送信電力レベルに基づいて決定された第２の送信電力レベルで基準信号を送ることとをさらに含む［５９］記載の方法。
［６６］前記ＰＤＣＣＨ上で少なくとも１つの隣接基地局によって送られた、減少した干渉を要求する少なくとも１つのメッセージを受信することと、
前記少なくとも１つの隣接基地局から受信した前記少なくとも１つのメッセージに基づいて、前記リソース上でデータを送るか否かを決定することとをさらに含む［５９］記載の方法。
［６７］前記メッセージを監視することは、複数の搬送波のそれぞれ上で、前記少なくとも１つの基地局からのメッセージを監視することを含む［５９］記載の方法。
［６８］前記メッセージを監視することは、複数の搬送波の間から指定された搬送波上で、前記少なくとも１つの基地局からのメッセージを監視することを含む［５９］記載の方法。
［６９］ワイヤレス通信のための装置において、
物理ダウンリンク制御チャネル（ＰＤＣＣＨ）上で少なくとも１つの基地局によって送られた、減少した干渉を要求するメッセージを監視する手段と、
前記ＰＤＣＣＨ上で前記少なくとも１つの基地局によって送られた前記メッセージにより減少した干渉を有するリソース上でデータを交換する手段とを具備する装置。
［７０］前記ＰＤＣＣＨ上で隣接基地局によって送られた、減少した干渉を要求する第１のメッセージを受信する手段と、
前記隣接基地局からの、減少した干渉の前記要求を転送するために、第２のメッセージを担当基地局に送る手段とをさらに具備する［６９］記載の装置。
［７１］前記ＰＤＣＣＨ上で少なくとも１つの隣接基地局によって送られた、減少した干渉を要求する少なくとも１つのメッセージを受信する手段と、
前記ＰＤＣＣＨ上で担当基地局によって送られた、基準信号の送信を要求するメッセージを受信する手段と、
前記少なくとも１つの隣接基地局からの前記少なくとも１つのメッセージと前記担当基地局からの前記メッセージとに応答して、前記リソースに対する第１の送信電力レベルを決定する手段と、
前記第１の送信電力レベルに基づいて決定された第２の送信電力レベルで基準信号を送る手段とをさらに具備する［６９］記載の装置。
［７２］ワイヤレス通信のための装置において、
物理ダウンリンク制御チャネル（ＰＤＣＣＨ）上で少なくとも１つの基地局によって送られた、減少した干渉を要求するメッセージを監視するようにと、
前記ＰＤＣＣＨ上で前記少なくとも１つの基地局によって送られた前記メッセージにより減少した干渉を有するリソース上でデータを交換するように構成されている少なくとも１つのプロセッサを具備する装置。
［７３］コンピュータプログラムプロダクトにおいて、
物理ダウンリンク制御チャネル（ＰＤＣＣＨ）上で少なくとも１つの基地局によって送られた、減少した干渉を要求するメッセージを少なくとも１つのコンピュータに監視させるためのコードと、
前記ＰＤＣＣＨ上で前記少なくとも１つの基地局によって送られた前記メッセージにより減少した干渉を有するリソース上でデータを前記少なくとも１つのコンピュータに交換させるためのコードとを含むコンピュータ読み取り可能媒体を具備するコンピュータプログラムプロダクト。
【図１】
0005551241.tif 000003
【図２】
0005551241.tif 000004
【図３】
0005551241.tif 000005
【図４】
0005551241.tif 000006
【図５】
0005551241.tif 000007
【図６】
0005551241.tif 000008
【図７】
0005551241.tif 000009
【図８】
0005551241.tif 000010
【図９】
0005551241.tif 000011
【図１０】
0005551241.tif 000012
【図１１】
0005551241.tif 000013
【図１２】
0005551241.tif 000014
【図１３】
0005551241.tif 000015
【図１４】
0005551241.tif 000016
【図１５】
0005551241.tif 000017
【図１６】
0005551241.tif 000018
【図１７】
0005551241.tif 000019
【図１８】
0005551241.tif 000020
【図１９】
0005551241.tif 000021